(57)【要約】  面積が１×１ｃｍ2以上であり、厚みが１０ｎｍ〜１０μｍであり、膜面方向の電気伝導度が４００Ｓ／ｃｍ以上であり、厚みに対する表面の算術平均粗さＲａの比率が１．０〜６００または０．３以下である黒鉛膜。
2017131205.tif 000002
【特許請求の範囲】
【請求項１】
面積が１×１ｃｍ2以上であり、厚みが１０ｎｍ〜１０μｍであり、膜面方向の電気伝導度が４００Ｓ／ｃｍ以上であり、厚みに対する表面の算術平均粗さＲａの比率が１．０〜６００または０．３以下であることを特徴とする黒鉛膜。
【請求項２】
複数箇所の算術平均粗さＲａを測定したときの各箇所の値が、全複数箇所での測定結果から求まるＲａの平均値に対して、±２５％以内である請求項１に記載の黒鉛膜。
【請求項３】
密度が１．５ｇ／ｃｍ3以上である請求項１又は２に記載の黒鉛膜。
【請求項４】
膜の表面と裏面の両方が視野に入る、膜面に対して垂直方向の断面ＳＥＭ画像にて、前記黒鉛膜の断面積の７０％以上の面積で、膜面に平行な層が積層した空隙のない層構造が観察される請求項１〜３のいずれか１項に記載の黒鉛膜。
【請求項５】
高分子膜を炭素化及び黒鉛化することにより黒鉛膜を得る工程を含み、
得られた黒鉛膜を、再度、黒鉛化温度で処理する再黒鉛化工程を必要により含み、
前記炭素化、黒鉛化、及び再黒鉛化の少なくとも１つの処理で、処理される高分子膜、炭素化膜、又は黒鉛膜の両面とプレス板の間に、前記高分子膜、炭素化膜、又は黒鉛膜の厚さをそれぞれ１としたときに厚さが０．４以下又は０．７５〜３５０となるスペーサーを配置し、両側からプレス板を用いて前記高分子膜、炭素化膜、又は黒鉛膜を圧力０．３ｇｆ／ｃｍ2以上２５００ｇｆ／ｃｍ2以下でプレスしつつ炭素化温度、黒鉛化温度、又は再黒鉛化温度で処理する請求項１〜４のいずれか１項に記載の黒鉛膜の製造方法。
【請求項６】
幅が４０ｍｍ以下、長さが幅の５倍以上である平行部を有し、材質が請求項１〜４のいずれか１項に記載の黒鉛膜と同じである黒鉛テープ。
【請求項７】
請求項１〜４のいずれか１項に記載の黒鉛膜をレーザー光線で切断し、幅４０ｍｍ以下、長さが幅の５倍以上である平行部を切り出す黒鉛テープの製造方法。
【請求項８】
請求項１〜４のいずれか１項に記載の黒鉛膜又は請求項６に記載の黒鉛テープを、その最高温度が部分的に９００℃以上になる熱環境下に配置する黒鉛膜又は黒鉛テープの使用方法。
【請求項９】
黒鉛膜又は黒鉛テープの一部が９００℃以上の最高温度になるとき、黒鉛膜又は黒鉛テープの最低温度を示す部分との温度差が３００℃以上である請求項８に記載の使用方法。
【請求項１０】
複数の前記黒鉛テープを平行に並べる請求項８又は９に記載の使用方法。
【請求項１１】
前記黒鉛膜又は黒鉛テープの一部を支持部材に固定して残部を宙に浮かせ、この宙に浮いた部分が最高温度になる請求項８〜１０のいずれか１項に記載の使用方法。
【請求項１２】
前記最高温度到達時の雰囲気が、圧力０．１ＭＰａ以上の不活性ガス又は圧力１０００Ｐａ以下の真空である請求項８〜１１のいずれか１項に記載の使用方法。
【請求項１３】
黒鉛膜又は黒鉛テープが、通電、赤外線照射、レーザー光線照射、イオンビーム照射のいずれかによって加熱されて最高温度になる請求項８〜１２のいずれか１項に記載の使用方法。
【発明の詳細な説明】
【技術分野】
【０００１】
本発明は黒鉛膜及び黒鉛テープなどの黒鉛製品に関し、特に電気伝導度が４００Ｓ／ｃｍ以上の高品質の黒鉛製品に関するものである。
【背景技術】
【０００２】
高品質の黒鉛膜は極めて高い耐熱性、電気伝導度、耐電流密度等を活かして、発光デバイスの発光体、フィラメント、高電流容量の高耐熱導線、電気抵抗式の発熱体等として好適に使用される。これらの用途では黒鉛膜は９００℃以上などの非常に高温になる場合が多く、支持部材が黒鉛膜の大部分と接触していると、支持部材が熱に耐えられなくなる。このような場合には、黒鉛膜をその端部や外周部などの一部分のみで支持部材に固定し、宙に浮いた状態で使用することで支持部材を熱から保護する。そして黒鉛膜自体は、一部分のみを支持し、残りが宙に浮いた状態にしても高い耐久性を示すことが求められる。高品質の黒鉛膜を宙に浮いた状態にしたときの耐久性は、該黒鉛膜を、強い赤外線や紫外線、Ｘ線、レーザー光線、イオンビーム、陽子ビーム、負極性水素イオンビーム、中性子ビーム、電子線などが照射される装置や分析方法、加工方法において、防護膜、反射部材、支持基板、吸収部材、透過部材、回折部材、センサ、熱拡散部材、被検体、被加工物等として使用する場合に特に要求される。さらには加熱や加熱・冷却の繰り返し（熱サイクル）に対する黒鉛膜の耐久性向上が強く求められている。【０００３】
また支持部材でサポートされた黒鉛膜に対して電子線、レーザー光線等を用いた微細な穴開けや切断加工を行うと、支持部材の部分的な変形、めくれ上がり、蒸発、分解等によって結果的に黒鉛膜に損傷が生じたり、不純物が付着したりする等、黒鉛膜の品質上望ましくない場合がある。そのため黒鉛膜の一部を支持して残りの部分を宙に浮かせ、この宙に浮いた部分に対して加工を施すこともあり、そのような場合には優れた加工耐久性も求められる。特に電子線、レーザー光線等を用いた微細な穴開けや切断加工は、一部のみが高温に加熱される加工方法であり、こうした方法に対する耐久性が求められる。【０００４】
以上のように、一部を宙に浮かせた状態の黒鉛膜は、その耐熱性、加熱・冷却の繰り返し（熱サイクル）に対する耐久性、一部のみが高温に加熱され、他の部分が比較的低温である使い方をされる場合の耐久性（部分加熱、あるいは部分加熱および冷却の繰り返し（部分的熱サイクル）に対する耐久性）、一部のみを高温に加熱する加工方法に対する耐久性などが優れていることが求められる。特にこうした耐久性と、膜の薄さ、均一性、大面積、高い電気伝導度をバランスよく高レベルで実現することが強く求められる。【０００５】
ところで黒鉛結晶の基本的な構造は、六角網目状に結ばれた炭素原子の作る基底面が規則正しく積み重なった層状構造（積み重なった方向をｃ軸と言い、六角網目状に結ばれた炭素原子の作る基底面の広がる方向をａ−ｂ面方向と言う）である。基底面内の炭素原子は共有結合で強く結ばれ、その原子間隔は１．４２１Åである。一方、積み重なった層間の結合は弱いｖａｎ  ｄｅｒ  Ｗａａｌｓ力によっており、層間隔は３．３５４Åである。理想的な黒鉛結晶は層間の積み重なり方によって、六方晶系に属するものと菱面体晶系に属すものとがあるが、普通の構造は六方晶系である。黒鉛における電気伝導度はこのような異方性を反映してａ−ｂ面方向に大きく、この方向の電気伝導度は六角網目状に結ばれた炭素原子が作る層の構造の良否などの黒鉛の品質を判定する良い指標となる。電気伝導度が高いことは特に電線、発光体、発熱体、センサ等として使用される場合に必要とされることが多い。また電気伝導度が高いことは黒鉛の結晶性が高いことを意味するので、同時に熱伝導度が高いことも意味する。従って電気伝導度が高い高品質黒鉛は熱伝導材料としても優れている。【０００６】
従来知られた高品質の黒鉛のａ−ｂ面方向の電気伝導度の例としては、天然に産出する単結晶と見なされる黒鉛、あるいはキッシュグラファイトと呼ばれる溶融金属に溶解した炭素から得られる黒鉛の２５０００Ｓ／ｃｍが挙げられる（非特許文献１、２）。またポリイミド、ポリオキサジアゾール、ポリパラフェニレンビニレンなどの特殊な高分子を直接熱処理、炭素化、黒鉛化する方法が開発されており（特許文献１、２）、２００００Ｓ／ｃｍ以上の高いａ−ｂ面方向の電気伝導度を持つ黒鉛膜を作ることが可能である。さらに蒸着重合法を用いて溶媒やキュア剤等の不純物を含まずに作製した、極めて薄いポリイミド膜を焼成する事により、極めて薄く厚みが均一で、なおかつａ−ｂ面方向の電気伝導度が極めて高い黒鉛膜を作製できることが知られている（特許文献３）。
【先行技術文献】
【特許文献】
【０００７】
【特許文献１】特開２００４−２９９９１９号公報
【特許文献２】特開２００５−５３７１９号公報
【特許文献３】特開２０１３−２１２９３８号公報
【非特許文献】
【０００８】
【非特許文献１】L. Spain,A. R. Ubbelohde, and D. A. Young ”Electronic properties of oriented graphite” PHILOSOPHICAL TRANSACTIONS OF THE ROYALSOCIETY
【非特許文献２】T. C. Chieu, M. S. Dresselhaus and M. Endo, Phys. Rev. B26, 5867(1982)
【発明の概要】
【発明が解決しようとする課題】
【０００９】
しかし、図１（ａ）に示す様に特許文献１〜３、非特許文献１、２に記載の方法で得られる黒鉛膜１ａは、シワ（表面凹凸）やうねりを除いた正味の厚み（ｄ１，ｄ２，ｄ３）の均一性には優れるものの、膜全面にわたって不均一なシワが多く有り、またシワの凹凸の大きさの制御も困難であった。また、こうした従来の黒鉛膜は、高温加熱、高温熱サイクル、部分的な高温加熱、部分的高温熱サイクルに対する耐久性という点において改善の余地がある。特に黒鉛膜は薄いほど物理的強度が弱く、破れや穴あき、ひび割れが起こりやすく、また高温に加熱された際には昇華による肉やせのために、さらなる物理的強度の低下を招き、破断等をますます起こしやすくなるということがわかった。
本発明は上記の様な事情に着目してなされたものであって、その目的は、黒鉛膜の一部を宙に浮かせた状態で使用したときの耐熱性、特に熱サイクルに対する耐久性、部分加熱時の耐熱性、部分熱サイクルに対する耐久性を高めた黒鉛膜を提供することである。また本発明の他の目的は、部分加熱する加工方法で黒鉛膜の一部を宙に浮かせた状態で加工したときの耐久性を高めることである。
【課題を解決するための手段】
【００１０】
本発明者らは前記課題を解決するために鋭意研究を重ねた結果、厚さに対するシワの凹凸の高さを制御することが重要であることを突き止めた。すなわち図１（ａ）に示す様な部分的に大きな凹凸を有する不均一なシワを有する黒鉛膜はもちろん、こうした凹凸を抑制してシワの均一性を高めた図１（ｃ）に示すような黒鉛膜でも、耐久性を高めるには至らなかった。これらに対して、図１（ａ）、（ｃ）の中間に相当するやや大きめのシワ（図１（ｂ））や、図１（ｃ）よりも小さめのシワ（図１（ｄ））に制御し、これらのシワの大きさを黒鉛膜の厚さに対して一定の範囲に制御すればよいことが判明した。黒鉛膜を宙に浮いた状態で加熱や冷却した場合、シワの高曲率部に歪みが集中して、破断の起点になりやすい。図１（ｄ）のようにシワを著しく抑制すると、歪みの集中や破断の起点を少なくできるため、耐久性が向上する。また図１（ｂ）のようにシワを一定程度大きくした場合には、たとえシワの高曲率部に歪みが集中しても、シワ自体が変形して歪みを解放でき、耐久性が向上する。図１（ａ）のようにシワが大きすぎる場合や図１（ｃ）のようにシワが中途半端に残る場合には、こうした歪みの集中防止作用が不十分となって、耐久性が低下すると考えられる。
また従来は厚さ１０μｍ以下の黒鉛膜のシワの大きさを、図１（ｂ）や図１（ｄ）に示すような適度な範囲に制御する方法が知られておらず、特に大面積で、ａ−ｂ面方向（すなわち膜面方向）の高い電気伝導度を有する黒鉛膜のシワを制御する方法が知られておらず、適度なシワによる耐久性の改善に至るには、そもそもシワの制御方法を開発する必要があった。特にポリイミドのような市場で入手しやすい高分子原料を用いて、１０μｍ以下という広い厚み範囲で、１ｃｍ×１ｃｍ以上という大面積の全域に関して、膜厚に対して一定の割合の高さのシワを均一に形成して耐熱性・耐久性を向上させ、なおかつ４００Ｓ／ｃｍ以上という高い電気伝導度である黒鉛膜を得る方法は開発されておらず、こうした黒鉛膜の開発自体が大きなチャレンジであった。そして本発明者らは、適切な大きさのスペーサーを高分子膜、炭素化膜、又は黒鉛膜の両面に適度に分布させ、これら高分子膜、炭素化膜、又は黒鉛膜を平滑な基板で挟んで両側から適切な圧力でプレスしつつ、炭素化温度、黒鉛化温度、又は再黒鉛化温度で処理すれば適度なシワを形成できることを見出し、その結果、上述した様に黒鉛膜の耐熱性・耐久性を向上できることを見出し、本発明を完成した。【００１１】
すなわち上記課題を解決し得た本発明は以下の通りである。
（１）面積が１×１ｃｍ2以上であり、厚みが１０ｎｍ〜１０μｍであり、膜面方向の電気伝導度が４００Ｓ／ｃｍ以上であり、厚みに対する表面の算術平均粗さＲａの比率が１．０〜６００または０．３以下であることを特徴とする黒鉛膜。
（２）複数箇所の算術平均粗さＲａを測定したときの各箇所の値が、全複数箇所での測定結果から求まるＲａの平均値に対して、±２５％以内である（１）に記載の黒鉛膜。
（３）密度が１．５ｇ／ｃｍ3以上である（１）又は（２）に記載の黒鉛膜。
（４）膜の表面と裏面の両方が視野に入る、膜面に対して垂直方向の断面ＳＥＭ画像にて、黒鉛膜の断面積の７０％以上の面積で、膜面に平行な層が積層した空隙のない層構造が観察される（１）〜（３）のいずれか１つに記載の黒鉛膜。
（５）高分子膜を炭素化及び黒鉛化することにより黒鉛膜を得る工程を含み、
得られた黒鉛膜を、再度、黒鉛化温度で処理する再黒鉛化工程を必要により含み、
前記炭素化、黒鉛化、及び再黒鉛化の少なくとも１つの処理で、処理される高分子膜、炭素化膜、又は黒鉛膜の両面とプレス板の間に、前記高分子膜、炭素化膜、又は黒鉛膜の厚さをそれぞれ１としたときに厚さが０．４以下又は０．７５〜３５０となるスペーサーを配置し、両側からプレス板を用いて前記高分子膜、炭素化膜、又は黒鉛膜を圧力０．３ｇｆ／ｃｍ2以上２５００ｇｆ／ｃｍ2以下でプレスしつつ炭素化温度、黒鉛化温度、又は再黒鉛化温度で処理する（１）〜（４）のいずれか１つに記載の黒鉛膜の製造方法。
（６）幅が４０ｍｍ以下、長さが幅の５倍以上である平行部を有し、材質が（１）〜（４）のいずれか１つに記載の黒鉛膜と同じである黒鉛テープ。
（７）（１）〜（４）のいずれか１つに記載の黒鉛膜をレーザー光線で切断し、幅４０ｍｍ以下、長さが幅の５倍以上である平行部を切り出す黒鉛テープの製造方法。
（８）（１）〜（４）のいずれか１つに記載の黒鉛膜又は（６）に記載の黒鉛テープを、その最高温度が部分的に９００℃以上になる熱環境下に配置する黒鉛膜又は黒鉛テープの使用方法。
（９）黒鉛膜又は黒鉛テープの一部が９００℃以上の最高温度になるとき、黒鉛膜又は黒鉛テープの最低温を示す部分との温度差が３００℃以上である（８）に記載の使用方法。
（１０）複数の前記黒鉛テープを平行に並べる（８）又は（９）に記載の使用方法。
（１１）前記黒鉛膜又は黒鉛テープの一部を支持部材に固定して残部を宙に浮かせ、この宙に浮いた部分が最高温度になる（８）〜（１０）のいずれか１つに記載の使用方法。
（１２）前記最高温度到達時の雰囲気が、圧力０．１ＭＰａ以上の不活性ガス又は圧力１０００Ｐａ以下の真空である（８）〜（１１）のいずれか１つに記載の使用方法。
（１３）黒鉛膜又は黒鉛テープが、通電、赤外線照射、レーザー光線照射、イオンビーム照射のいずれかによって加熱されて最高温度になる（８）〜（１２）のいずれか１つに記載の使用方法。
【発明の効果】
【００１２】
本発明によれば、黒鉛膜のシワ（凹凸）が厚みに対して適切に制御されているため、黒鉛膜（又はその細線化体である黒鉛テープ）を単独で宙に浮かせた状態で使用したときの耐熱性、熱サイクル耐久性、部分加熱耐熱性、部分的熱サイクル耐久性を高めることができる。部分加熱加工方法で黒鉛膜の一部を宙に浮かせた状態で加工したときの耐久性を高めることもできる。
【図面の簡単な説明】
【００１３】
【図１】図１（ａ）は従来の黒鉛膜を説明するための概略断面図であり、図１（ｃ）は本発明外の黒鉛膜を説明するための概略断面図であり、図１（ｂ）、（ｄ）は本発明の黒鉛膜を説明するための概略断面図である。
【図２】図２は本発明の黒鉛膜の表面（上面）を撮影したＳＥＭ写真である。
【図３】図３は本発明の黒鉛膜の断面を撮影したＳＥＭ写真である。
【図４】図４は本発明の黒鉛膜の断面ＴＥＭ写真である。
【図５】図５は本発明の黒鉛膜の拡大された断面ＳＥＭ写真である。
【図６】図６は本発明のプレス方法の一例を説明するための概略断面図である。
【図７】図７は本発明のプレス方法の他の例を説明するための概略断面図である。
【図８】図８は本発明のプレス方法のさらに他の例を説明するための概略断面図である。
【図９】図９は本発明のポリイミド膜の測定箇所を示す概略平面図である。
【図１０】図１０は本発明の黒鉛膜の測定箇所を説明するための概略平面図である。
【図１１】図１１は本発明の黒鉛膜のサンプル箇所を説明するための概略平面図である。
【図１２】図１２は本発明の黒鉛膜の熱サイクル耐久試験方法を説明するための概念図である。
【図１３】図１３は本発明の黒鉛膜の熱サイクル耐久試験方法を説明するための他の概念図である。
【図１４】図１４は本発明の黒鉛膜の熱サイクル耐久試験方法を説明するためのさらに他の概念図である。
【図１５】図１５は本発明の黒鉛膜のレーザーカット試験方法を説明するための概念図である。
【発明を実施するための形態】
【００１４】
（１）黒鉛膜
（１．１）基本特性（面積、厚み、電気伝導度）
本発明は、面積が大きく、厚みが薄く、高品質（高電気伝導度）の黒鉛膜の改良技術に関する。こうした黒鉛膜は、その優れた品質のために種々の用途での利用が期待されつつも、面積が大きくて厚みが薄いために破れ等に対する耐久性や耐熱性の向上が求められるためである。
【００１５】
本発明の黒鉛膜の面積は、１×１ｃｍ2以上である。１．５×１．５ｃｍ2以上であることが望ましく、より好ましくは２×２ｃｍ2以上であり、さらに好ましくは３×３ｃｍ2以上であり、なお一層好ましくは４×４ｃｍ2以上又は５×５ｃｍ2以上である。さらに７×７ｃｍ2以上や１０×１０ｃｍ2以上、１０×１５ｃｍ2以上、１０×２０ｃｍ2以上、１５×１５ｃｍ2以上又は２０×２０ｃｍ2以上であることは最も好ましい。面積の上限は特に限定されず、例えば、５０×５０ｃｍ2であってもよい。こうした大面積を有することは、上述及び後述する各用途に黒鉛膜を利用する場合に必要な又は有利な要件である。
【００１６】
本発明の黒鉛膜の厚さは１０μｍ以下であり、８μｍ以下であることが好ましく、５μｍ以下であることはさらに好ましく、３μｍ以下、２μｍ以下、１．８μｍ以下、１．５μｍ以下、１．０μｍ以下又は０．５μｍ以下であることは特に好ましい。薄い黒鉛膜ほど小型、薄型、軽量等が必要とされる用途に利用できる。また、高分子膜を焼成する後述の本発明の黒鉛の製造方法では、他の条件が同じであれば高分子膜を薄くして得られる黒鉛膜を薄くしたほうが、ａ−ｂ面方向、すなわち膜面方向の電気伝導度が高くなり、黒鉛膜の高電気伝導度化・高品質化にも貢献する。
【００１７】
なお前記黒鉛膜の厚さは、１０ｎｍ以上であり、２０ｎｍ以上であることが好ましく、３０ｎｍ以上であることはより好ましく、５０ｎｍ以上、８０ｎｍ以上又は１００ｎｍ以上であることはさらに好ましい。２００ｎｍ以上又は３００ｎｍ以上であることはなお一層好ましい。黒鉛膜は厚いほど破れにくく、焼成時に黒鉛の昇華により局所的に穴が開くなどの不測の事態が起こりにくく、生産、取り扱い、加工も容易である。また膜厚に対する厚み誤差の割合が小さく、製品の品質保証上も有利である。
【００１８】
前記黒鉛膜の厚さは、２０ｎｍ〜８μｍの間であることが好ましく、３０ｎｍ〜５μｍの間であることはさらに好ましく、５０ｎｍ〜３μｍの間であることはなお一層好ましい。さらに１００ｎｍ〜１．７μｍの間、２００ｎｍ〜１．５μｍの間又は３００ｎｍ〜１．０μｍの間であることは最も好ましい。
【００１９】
なお黒鉛膜の厚みは公知の装置を用いて測定でき、例えばノギスや触針式等の接触式の測定方法や、レーザー変位計、分光エリプソメトリー等の光学的測定方法、ＳＥＭ（Ｓｃａｎｎｉｎｇ Ｅｌｅｃｔｒｏｎ Ｍｉｃｒｏｓｃｏｐｅ）やＴＥＭ（Ｔｒａｎｓｍｉｓｓｉｏｎ Ｅｌｅｃｔｒｏｎ Ｍｉｃｒｏｓｃｏｐｅ）を用いた断面観察による方法等により測定する事ができる。なお、本明細書では後述のように接触式の厚み計を用いて黒鉛膜の厚みを求めている。
【００２０】
本発明の黒鉛膜の電気伝導度は４００Ｓ／ｃｍ以上である。より好ましくは５００Ｓ／ｃｍ以上、さらに好ましくは６００Ｓ／ｃｍ以上、なお好ましくは９００Ｓ／ｃｍ、一層好ましくは１２００Ｓ／ｃｍ以上又は１５００Ｓ／ｃｍ以上であり、２０００Ｓ／ｃｍ以上や３０００Ｓ／ｃｍ以上、４０００Ｓ／ｃｍ以上、５０００Ｓ／ｃｍ以上であることはより一層好ましい。さらに、８０００Ｓ／ｃｍ以上や１００００Ｓ／ｃｍ以上、１５０００Ｓ／ｃｍ以上、１７０００Ｓ／ｃｍ以上、２００００Ｓ／ｃｍ以上であることは最も好ましい。電気伝導度の上限は特に限定されないが、例えば、３００００Ｓ／ｃｍ以下、特に２７０００Ｓ／ｃｍ以下である。高電気伝導度であることは黒鉛が結晶性に優れ、ヒビ割れや欠陥が少ないことを意味し、高品質であることを表している。そしてこれは同時に熱伝導度が高いことも意味する。特に発光デバイスの発光体、電気抵抗式の発熱体、センサなどに使用する場合は、一定以上の高い電気伝導度を有することが有利である。また電線、熱拡散部材、電子回路用部材などに用いる場合であっても、一般的に高い電気伝導度の黒鉛膜ほど優れている。電気伝導度は、例えばｖａｎ  ｄｅｒ  Ｐａｕｗ法や一般的な４端子法など既知の手法により求まる電気抵抗（シート抵抗）と、黒鉛膜の寸法、厚みから計算できる。
【００２１】
（１．２）シワ
本発明の黒鉛膜は、図１（ａ）又は（ｃ）に示すような状態を避け、図１（ｂ）又は（ｄ）に示す様に、表面のシワが適切な範囲に制御されている。そのため面積が大きくて厚みが薄いにも拘わらず、耐熱性・耐久性に優れている。
図１（ａ）は従来の黒鉛膜の一形態を示す概略断面図であり、シワの無い領域や細かいシワがある領域、大きなシワが集中している領域が混在しており、形成されているシワの不均一さが目立っている。このような黒鉛膜では、相対的に大きく鋭い凹凸部分と比較的平坦な部分の境界等において、高温加熱や冷却による局所的な歪みの影響が出やすく、加熱や、熱サイクルによって穴が開いたり、ヒビ割れが生じたり、破断したりしやすい。またシワが比較的均一に形成されていても、そのシワの凹凸高さが黒鉛膜の厚みに対して大きすぎる場合には、やはりシワの凹凸部分が高温加熱や冷却による局所的な歪みの影響で、穴が開いたり、ヒビ割れが生じたり、破断したりしやすい。さらにシワを均一にしても、図１（ｃ）の様に、シワの凹凸の高さが適切でないと、高温加熱や冷却による局所的な歪みを、シワの伸縮や変形による緩衝効果によって緩和する能力が不足する。そのため加熱や冷却によって穴が開いたり、ヒビ割れが生じたり、破断したりしやすい。
【００２２】
一方、本発明では図１（ｂ）のようにして、シワを均一にしつつ適度な高さも残しているため、凹凸部分と平坦部の境界等で、高温加熱や冷却による局所的な歪みの影響が出そうになっても、この局所的な歪みを、シワの伸縮や変形によって緩衝でき、破断に至るのを防止できる。また図１（ｄ）のように厚さに対してシワの凹凸を著しく小さくすると、局所的な歪みの発生自体を防止でき、破断に至るのを防止できる。
【００２３】
図１（ｂ）のような厚さに対して適度な凹凸を有する状態は、具体的には、黒鉛膜の厚さ（平均値、μｍ）に対する、黒鉛膜の表面の算術平均粗さＲａ（平均値、μｍ）の割合で表現できる。すなわち図１（ｂ）の状態では、Ｒａの平均値／厚さの平均値（μｍ／μｍ）の値が１．０以上、６００以下である。さらに１．５以上であることは好ましく、２．０以上であることはさらに好ましく、２．５以上であることはなお好ましく、３．０以上であることは一層好ましく、４．０以上であることはより好ましく、さらに５．０以上、６．０以上、８．０以上又は１０以上であることが特に望ましい。また、５００以下であることは好ましく、４００以下であることはより好ましく、３００以下であることはさらに好ましく、２００以下、１５０以下、１００以下、５０以下、３０以下又は２０以下であることはなお一層好ましい。なお図２は、図１（ｂ）の状態の黒鉛膜の表面（上面）を撮影したＳＥＭ写真であり、図３はその断面を撮影したＳＥＭ写真であり、適度な高さの凹凸が均一に形成されていることを示している。
【００２４】
図１（ｄ）のような厚さに対してシワの凹凸が著しく小さい状態もまた、黒鉛膜の厚さ（平均値、μｍ）に対する、黒鉛膜の表面の算術平均粗さＲａ（平均値、μｍ）の割合で表現できる。すなわち図１（ｄ）の状態では、Ｒａの平均値／厚さの平均値（μｍ／μｍ）の値が０．３以下である。０．２５以下であることはより好ましく、０．２０以下であることはなお好ましく、０．１５以下であることはさらに好ましい。また、０．１以下であることは好ましく、０．０５以下であることはさらに好ましい。また、０．００１以上であっても構わない。
【００２５】
黒鉛膜の表面の算術平均粗さ（Ｒａ）自体は、前記範囲を満足するように黒鉛膜の厚さに応じて適切な範囲をとればよいが、黒鉛膜のシワの状態に応じて好ましい範囲を有していてもよい。図１（ｂ）のような適度な凹凸を有する黒鉛膜では、表面の算術平均粗さ（Ｒａ）は、例えば、０．５μｍ以上、好ましくは５μｍ以上、より好ましくは１０μｍ以上であり、３０μｍ以上であってもよい。また例えば２００μｍ以下であり、好ましくは１００μｍ以下であり、より好ましくは５０μｍ以下である。
【００２６】
図１（ｄ）のようなシワの凹凸が著しく小さい黒鉛膜では、表面の算術平均粗さ（Ｒａ）は、例えば、０．５μｍ以下、好ましくは０．３μｍ以下、より好ましくは０．２５μｍ以下である。また例えば、０．０５μｍ以上であり、好ましくは０．１μｍ以上であり、０．２μｍ超であってもよい。
【００２７】
黒鉛膜内の複数箇所で算術平均粗さＲａを測定したとき、各箇所の値が、全複数箇所での測定結果から求まるＲａの平均値に対して、例えば、±２５％以内、好ましくは±２０％以内、より好ましくは±１５％以内であることが望ましい。膜内でのＲａのばらつきを抑制することで、シワの凹凸の均一性をさらに高めることができ、黒鉛膜の耐久性をさらに向上できる。
【００２８】
算術平均粗さＲａは既存の方法、すなわち触針式表面粗さ計や、レーザー顕微鏡等の光学的方法や、ＳＴＭ（Ｓｃａｎｎｉｎｇ Ｔｕｎｎｅｌｉｎｇ Ｍｉｃｒｏｓｃｏｐｅ）、ＡＦＭ（Ａｔｏｍｉｃ  Ｆｏｒｃｅ  Ｍｉｃｒｏｓｃｏｐｅ）等の方法により決定できる。これらに関する規定としては、例えばＪＩＳ  Ｂ０６０１−２００１を適用または準用できる。
【００２９】
（１．３）他の特性
前記黒鉛膜では、密度や膜内の空隙の制限は特にないが、密度は１．５ｇ／ｃｍ3以上であることが好ましい。さらに１．６ｇ／ｃｍ3以上、１．７ｇ／ｃｍ3以上、１．８ｇ／ｃｍ3以上、１．９ｇ／ｃｍ3以上、１．９５ｇ／ｃｍ3以上、２．０ｇ／ｃｍ3以上、２．０５ｇ／ｃｍ3以上、２．１ｇ／ｃｍ3以上、２．１５ｇ／ｃｍ3以上であることは一層好ましい。なお密度が高いほど、破断や穴あきが発生する起点となる空隙部分が減り、また加熱された際に熱がこもりにくくなる。なお密度の上限は、例えば２．２６ｇ／ｃｍ3以下であり、２．２０ｇ／ｃｍ3以下であってもよい。
【００３０】
図４は本発明の黒鉛膜４ａの断面ＴＥＭ写真（倍率３，０００，０００倍）の一例であり、図５は本発明の黒鉛膜５ａの断面ＳＥＭ写真（倍率１０，０００倍）の一例である。こうしたＴＥＭ断面写真やＳＥＭ断面写真に示される様に、黒鉛膜の膜面に垂直な方向の断面での７０％以上の面積に関して、極薄黒鉛の層が隙間無く積層していることが好ましい。この断面で極薄黒鉛の層が隙間無く積層している部分の面積の割合は、７５％以上であることがより好ましく、８０％以上であることはなお好ましく、８５％以上、９０％以上又は９５％以上であることはより一層好ましい。最も好ましくは、極薄の黒鉛層が、黒鉛膜の一方の表面から他方の表面まで隙間無く積層した積層体構造であることである。該極薄黒鉛の層は、黒鉛膜の厚みにもよるが１００層以上であることもあり、また大抵１０層以上である。前記ＴＥＭ断面像及び／又はＳＥＭ断面像で平坦なグラフェンや極薄黒鉛の隙間が殆ど無い積層構造が観察されることが好ましく、より望ましくは、空隙が全く観察されないことである。
【００３１】
個々の極薄黒鉛の層を形成している黒鉛結晶のドメインサイズは例えば１００μｍ未満（例えば１０μｍ以上）、特に１０μｍ未満（例えば、１μｍ以上）などのように小さくても構わない。
【００３２】
（１．４）表面処理
本発明の適度な高さのシワのある（適度な大きさのＲａを持つ）黒鉛膜であっても、見かけ上のシワの高さを変更する様な各種表面処理を施すことが可能である。例えば、表面にカーボンや金属等を蒸着したり、カーボン等のペーストを塗布したり、カーボンや金属等の粒子を塗布したり、型押しにより凹凸を与えたり、切り目を入れたり、折り目を付けたり、プレスによりシワを押しつぶして平坦にしたりすることが可能である。特に黒鉛膜の一部分に関しては、このような表面処理をすることは有効である場合がある。表面処理によって見かけ上のシワの高さを変更することで、例えば枠などの他の部材に固定するときに表面の滑りと摩擦を適度に調節でき、他の部材との接着性を向上できる。このような表面処理をして凹凸の程度を変更した黒鉛膜も、処理前の表面凹凸が本発明の範囲内である限り、その段階で本発明に含まれることとなる。
【００３３】
（２）黒鉛膜の製造方法
前記黒鉛膜は、高分子膜や炭素化膜から黒鉛膜を製造する方法を基本とし、その適切な段階でスペーサーを用いたプレス処理を施すことによって製造できる。まず始めに、高分子膜から炭素化膜を経て黒鉛膜を製造する基本部分について詳述する。
【００３４】
（２．１）高分子膜
高分子膜に使用される原料高分子は、成膜性を有し、焼成により良質の黒鉛になるものであれば特に限定はされないが、芳香族系高分子が好ましい。この芳香族系高分子としては、ポリイミド、ポリアミド、ポリパラフェニレンビニレン、ポリキノキサリン、ポリオキサジアゾール、ポリベンズイミダゾール、ポリベンズオキサゾール、ポリベンズチアゾール、ポリキナゾリンジオン、ポリベンゾオキサジノン、ポリキナゾロン、ベンズイミダゾベンゾフェナントロリンラダーポリマー、およびこれらの誘導体から選択される少なくとも一種であることが好ましい。これらの高分子原料からなる膜は公知の製造方法で製造すればよい。特に好ましい原料高分子として芳香族ポリイミド、ポリパラフェニレンビニレン、ポリオキサジアゾールを例示する事ができ、特に芳香族ポリイミドが好ましい。
【００３５】
（２．１．１）芳香族ポリイミド
（２．１．１．１）ポリアミド酸
芳香族ポリイミドとしては、以下に記載する酸二無水物（特に芳香族酸二無水物）とジアミン（特に芳香族ジアミン）からポリアミド酸を経て作製される芳香族ポリイミドが特に好ましい。
前記酸二無水物としては、ピロメリット酸二無水物（ＰＭＤＡ）、２，３，６，７−ナフタレンテトラカルボン酸二無水物、３，３’，４，４’−ビフェニルテトラカルボン酸二無水物、１，２，５，６−ナフタレンテトラカルボン酸二無水物、２，２’，３，３’−ビフェニルテトラカルボン酸二無水物、３，３’，４，４’−ベンゾフェノンテトラカルボン酸二無水物、２，２−ビス（３，４−ジカルボキシフェニル）プロパン二無水物、３，４，９，１０−ペリレンテトラカルボン酸二無水物、ビス（３，４−ジカルボキシフェニル）プロパン二無水物、１，１−ビス（２，３−ジカルボキシフェニル）エタン二無水物、１，１−ビス（３，４−ジカルボキシフェニル）エタン二無水物、ビス（２，３−ジカルボキシフェニル）メタン二無水物、ビス（３，４−ジカルボキシフェニル）エタン二無水物、オキシジフタル酸二無水物、ビス（３，４−ジカルボキシフェニル）スルホン二無水物、ｐ−フェニレンビス（トリメリット酸モノエステル酸無水物）、エチレンビス（トリメリット酸モノエステル酸無水物）、ビスフェノールＡビス（トリメリット酸モノエステル酸無水物）、およびそれらの類似物を含み、それらを単独または任意の割合の混合物で用いることができる。 特に剛直な高分子構造を持つほどポリイミド膜の配向性が高くなり結晶性に優れた黒鉛が得られやすいことと、さらには入手性の観点から、ピロメリット酸二無水物（ＰＭＤＡ）、３，３’，４，４’−ビフェニルテトラカルボン酸二無水物が特に好ましい。
【００３６】
前記ジアミンとしては、４，４’−ジアミノジフェニルエーテル（ＯＤＡ）、ｐ−フェニレンジアミン（ＰＤＡ）、４，４’−ジアミノジフェニルプロパン、４，４’−ジアミノジフェニルメタン、ベンジジン、３，３’−ジクロロベンジジン、４，４’−ジアミノジフェニルスルフィド、３，３’−ジアミノジフェニルスルホン、４，４’−ジアミノジフェニルスルホン、４，４’−ジアミノジフェニルエーテル、３，３’−ジアミノジフェニルエーテル、３，４’−ジアミノジフェニルエーテル、１，５−ジアミノナフタレン、４，４’−ジアミノジフェニルジエチルシラン、４，４’−ジアミノジフェニルシラン、４，４’−ジアミノジフェニルエチルホスフィンオキシド、４，４’−ジアミノジフェニル−Ｎ−メチルアミン、４，４’−ジアミノジフェニル−Ｎ−フェニルアミン、１，４−ジアミノベンゼン（ｐ−フェニレンジアミン）、１，３−ジアミノベンゼン、１，２−ジアミノベンゼンおよびそれらの類似物を含み、それらを単独で、または任意の割合の混合物で用いることができる。さらにポリイミド膜の配向性が高くなり結晶性に優れた黒鉛が得られやすいことと、入手性の観点から、４，４’−ジアミノジフェニルエーテル（ＯＤＡ）、ｐ−フェニレンジアミン（ＰＤＡ）を用いることが好ましい。
【００３７】
前記酸二無水物とジアミンからポリアミド酸を調製する重合方法としてはあらゆる公知の方法を用いることができ、例えば、酸二無水物の少なくとも１種とジアミンの少なくとも１種を有機溶媒中に溶解させ、得られたポリアミド酸の有機溶媒溶液を、制御された温度条件下で、上記の酸二無水物とジアミンの重合が完了するまで攪拌する方法が含まれる。芳香族テトラカルボン酸二無水物と芳香族ジアミンからポリアミド酸を調製する方法を例にとって特に好ましい重合方法を挙げると、次のような方法になる。すなわち、
１）芳香族ジアミンを極性有機溶媒中に溶解し、これと実質的に等モルの芳香族テトラカルボン酸二無水物を反応させて重合する方法、
２）芳香族テトラカルボン酸二無水物とこれに対し過小モル量の芳香族ジアミン化合物とを極性有機溶媒中で反応させ、両末端に酸無水物基を有するプレポリマーを得る。続いて、全工程において芳香族テトラカルボン酸二無水物と芳香族ジアミン化合物が実質的に等モルとなるように芳香族ジアミン化合物を用いて重合させる方法、
３）芳香族テトラカルボン酸二無水物とこれに対し過剰モル量の芳香族ジアミン化合物とを極性有機溶媒中で反応させ、両末端にアミノ基を有するプレポリマーを得る。続いてここに芳香族ジアミン化合物を追加添加後、全工程において芳香族テトラカルボン酸二無水物と芳香族ジアミン化合物が実質的に等モルとなるように芳香族テトラカルボン酸二無水物を用いて重合する方法、
４）芳香族テトラカルボン酸二無水物を極性有機溶媒中に溶解及び／または分散させた後、実質的に等モルとなるように芳香族ジアミン化合物を用いて重合させる方法、
５）実質的に等モルの芳香族テトラカルボン酸二無水物と芳香族ジアミンの混合物を極性有機溶媒中で反応させて重合する方法、
などのような方法である。
【００３８】
前記ポリアミド酸溶液の濃度は通常５〜３５重量％であり、好ましくは１０〜３０重量％の濃度である。この範囲の濃度である場合に、適当な分子量と溶液粘度を得る事が出来る。ポリアミド酸溶液の濃度が低すぎると分子量が十分でなく、得られるポリイミド膜の強度が十分でない場合があり、粘度が低すぎてポリイミド膜の製膜が困難となる場合もある。一方、ポリアミド酸溶液の濃度が高すぎると粘度が非常に高く、ポリイミド膜の製膜が困難となる。
【００３９】
前記ポリアミド酸溶液中の酸二無水物とジアミンは実質的に等モル量にすることが好ましく、モル比（酸二無水物：ジアミン）は、例えば、１．５：１〜１：１．５、好ましくは１．２：１〜１：１．２、より好ましくは１．１：１〜１：１．１である。
【００４０】
ポリアミド酸を合成するための好ましい溶媒はアミド系溶媒、すなわちＮ，Ｎ−ジメチルフォルムアミド、Ｎ，Ｎ−ジメチルアセトアミド、Ｎ−メチル−２−ピロリドンなどであり、Ｎ，Ｎ−ジメチルフォルムアミド、Ｎ，Ｎ−ジメチルアセトアミドが特に好ましく用いられる。
【００４１】
（２．１．１．２）ポリイミド化
ポリイミドの製造方法には、前駆体である上記ポリアミド酸のイミド化を加熱により行う熱キュア法や、ポリアミド酸に無水酢酸等の酸無水物に代表される脱水剤、ピコリン、キノリン、イソキノリン、ピリジン等の第３級アミン類をイミド化促進剤として用い、イミド化を行うケミカルキュア法がある。本発明ではいずれを用いても良い。得られるポリイミド膜が焼成中にプレスしても破損しにくく、また、高電気伝導度など品質の良い黒鉛膜を得やすいという観点からは、ケミカルキュア法が好ましい。一方で熱キュア法は、ポリアミド酸を加熱しなければイミド化が起こりにくいので、時間をかけてポリイミド製膜したい場合にも比較的容易に使用でき、例えばスピンコート法など様々なポリイミド製膜方法に適用しやすく、製造プロセス上の自由度が高いという利点がある。
【００４２】
例えば、ケミカルキュアによるポリイミド膜の製造法は以下のようになる。まず上記ポリアミド酸の有機溶媒溶液に化学量論量以上の脱水剤と触媒量のイミド化促進剤を加え、アルミ箔等の支持基板やＰＥＴ等の高分子膜、ドラム又はエンドレスベルト等の支持体上に流延又は塗布して膜状とし、加熱により有機溶媒を乾燥させることにより、自己支持性を有する膜を得る。次いで、これを更に加熱して乾燥させつつイミド化させ、ポリイミド膜を得る。加熱の際の温度は、１５０℃から５５０℃の範囲が好ましい。
上記のようにイミド化促進剤を加えず、単純に加熱によりイミド化を行い、ポリイミド膜を得ても良い（熱キュア法）。この場合の加熱温度も１５０℃から５５０℃の範囲が好ましい。
【００４３】
さらに、ポリイミドの製造工程中に、収縮を防止したり高分子鎖の膜面方向の配向性を高めるために、膜を固定したり、延伸したりする工程を含む事は好ましい。これは、膜面方向の配向性が高いポリイミド膜を用いる事で、黒鉛の結晶性が高くなりやすく、結果として高電気伝導度や高熱伝導度の黒鉛膜が得やすいためである。この理由は、黒鉛化の際には黒鉛前駆体中にて炭素原子が黒鉛結晶の構造に再配列する必要があるが、元々膜面方向の配向性に優れたポリイミドでは、その再配列が少なくて済むために、焼成によりスムーズに黒鉛への転化が進むためである。
【００４４】
また、銅箔、アルミ箔、石英板、グラッシーカーボン（ＧＣ）板などの基板上で直接ポリイミド膜を得たい場合には、バーコーターやスピンコーターを用いて所望の基板上にポリアミド酸の膜を形成し、加熱してイミド化させ、基板付きポリイミド膜を得れば良い。この場合も、ケミカルキュア法、熱キュア法のいずれも用いることができる。
【００４５】
（２．１．２）高分子膜の厚み
本発明の厚み範囲の黒鉛膜を得るためには、原料高分子膜の厚さは３５μｍ〜２０ｎｍの範囲である事が好ましい。これは、最終的に得られる黒鉛膜の厚さは、一般に原料高分子膜の厚みが１μｍ以上では、原料高分子膜の厚さの６０〜３０％程度となり、１μｍ以下では５０％〜２０％程度となる場合が多いためである。従って、最終的に本発明の１０ｎｍから１０μｍの厚さの黒鉛膜を得るためには、原料高分子膜の厚さは３５μｍ以下、２０ｎｍ以上の範囲である事になるが、大抵の場合には３０μｍ以下、３０ｎｍ以上である。
【００４６】
（２．２）炭素化膜
前記高分子膜を不活性ガス中あるいは真空中で加熱することで炭素化膜を製造できる。不活性ガスは、窒素、アルゴンあるいはアルゴンと窒素の混合ガスが好ましく用いられる。炭素化は通常８００℃〜１８００℃程度の温度で行う。例えば、１０℃／分の昇温速度で昇温して８００℃〜１８００℃程度に加熱し、そのまま１０分間程度の温度保持を行う方法などが好ましく用いられる。昇温速度に特に制限は無いが、生産性向上の観点からは０．５℃／分以上が好ましく、また、十分な炭素化を行うためには１００℃／分以下が好ましい。一般的には１℃／分〜５０℃／分の間が好ましい。炭素化の際の加熱方式としては特に制限はないが、黒鉛ヒーター等の抵抗加熱式のヒーターによる方式や、赤外線照射による方式を好ましく用いることができる。
【００４７】
（２．３）黒鉛膜  炭素化膜を黒鉛化炉内で熱処理することで黒鉛膜を製造できる。黒鉛化に必要な２２００℃以上の高温を作り出すために、通常黒鉛ヒーターに電流を流し、そのジュ−ル熱を利用して加熱を行う。黒鉛化は不活性ガス中で行うが、不活性ガスとしてはアルゴンが最も適当であり、アルゴンに少量のヘリウムを加えるとさらに好ましい。
【００４８】
加熱温度は高ければ高いほど高電気伝導度の黒鉛膜を得やすいが、特に厚さ５μｍ以下の高分子膜は比較的低温でも黒鉛に転化しやすいため、本発明の黒鉛膜を得るために必要な加熱温度は比較的低めであり、２２００℃以上である。このように比較的低い温度で黒鉛化が可能であることは、黒鉛化炉の簡略化や電力節減によるコストダウンが可能という点で有利である。無論、高電気伝導度を実現したい場合には黒鉛化時の温度は高温であるほど良い。このため黒鉛化では２４００℃以上の温度で加熱することが好ましく、さらに２６００℃以上、２７００℃以上であることが好ましく、２８００℃以上、２９００℃以上、３０００℃以上である事は最も好ましい。黒鉛化は、例えば、３５００℃以下、特に３２００℃以下でも可能である。
【００４９】
（２．４）プレス処理
以上のようにして高分子膜から黒鉛膜を製造するだけでは、適切なシワ（凹凸）を形成することは困難である。高分子膜として芳香族ポリイミドを用いて炭素化する場合、炭素化時に元の高分子膜の７５〜８５％程度にまで炭素化膜が自然収縮することが多い。また、炭素化時及び黒鉛化時の膜の収縮・膨張を自然に任せた場合には、最終的に得られる黒鉛膜の膜面方向の寸法は、元の高分子膜の寸法の８５〜９５％程度となることが多い。こうした自然の収縮・膨張のために、黒鉛膜には大きなシワが偏っている領域とシワがあまり無い領域が混在したりして、適切なシワになることがない。
【００５０】
そこで本発明では、スペーサーを用いたプレス処理によってシワの高さを揃え、適切なシワを形成することとした。具体的には、適切な大きさのスペーサーを高分子膜、炭素化膜、又は黒鉛膜の両面に適度に配置（特に分散）し、これら高分子膜、炭素化膜、又は黒鉛膜を平滑なプレス板で挟んで両側から適切な圧力でプレスしつつ、炭素化温度、黒鉛化温度、又は再黒鉛化温度で処理することで、適切なシワの形成が可能となる。なお炭素化は高分子膜に対して実施する処理であり、黒鉛化は炭素化膜に対して実施する処理であり、再黒鉛化は、黒鉛膜に対して実施する処理である。高分子膜を炭素化した後、黒鉛化する場合、炭素化及び黒鉛化の片方で前記プレス処理を行ってもよく、両方で前記プレス処理を行ってもよく、好ましくは少なくとも黒鉛化の段階で前記プレス処理を行う。
【００５１】
（２．４．１）曲面基板によるプレス
高分子膜、炭素化膜、又は黒鉛膜（以下、これらをまとめて被処理膜と称する）を挟むのに用いる前記プレス板は、曲面基板であってもよく、平面（平坦）基板であってもよい。また曲面基板と平面基板とで被処理膜を挟んでプレスしてもよい。
【００５２】
図６は曲面基板で被処理膜を挟んでプレスする方法の一例を示す概略断面図である。この図６の例では、加熱により可撓性を示すドーム状曲面基板（曲面プレス板）６ｂをプレス板とし、この曲面基板６ｂで上下から被処理膜６ａを挟み込み、さらにこれらを第２のプレス板６ｃの間に挟んで、高温（炭素化温度、黒鉛化温度、又は再黒鉛化温度の意味。以下、プレス処理の説明において同様）に加熱しながら曲面基板６ｂが平板状、あるいは平板状に近い形状に変形するまで上下からプレスする。これにより例えば最初、被処理膜６ａは曲面基板同士の接点である１点（図示例では、曲面基板６ｂの頂点付近）６ｄのみで押さえられるが、曲面基板がプレスにより平板状に変形していくに従い、曲面基板同士の間隔６ｅ、６ｆが狭まっていき、徐々にその接点６ｄを中心として周囲に押し広げられるようになる。このドーム状曲面基板６ｂの間に、スペーサーを存在させることによって、その大きさやその存在密度に応じてドーム状曲面基板の間に一定のスペースが生まれ、また適度な潤滑効果も付与され、結果として所定のシワを形成できる。
【００５３】
曲面基板では、基本的には膜面内に沿って、黒鉛膜の中心から放射状に外側に向かって押し伸ばすようにプレスするのがよいが、必ずしも等方的でなくてもよい。この方向のずれは、膜面内のずれだけでなく、膜面から外れる方向であってもよい。特に被処理膜の配向性に異方性がある場合には、中心から放射状ではなく、意図的に放射状からずれた方向に押し伸ばすことは有効である。また、意図的に黒鉛膜の構造や電気伝導度等の特性に異方性を持たせたい場合にも有効である。
【００５４】
曲面基板は、適切な曲面を有している限り、ドーム状でなくてもよく、例えば、円柱の側面のように１方向にのみ曲がっている曲面を持つ基板を用いても良い。また曲面基板は、少なくとも１枚用いればよく、例えば、曲面基板と平面基板の間に被処理膜を挟みこんでもよい。
【００５５】
曲面基板がドーム状である場合、内側の曲率半径は、例えば、１５０ｃｍ〜５００ｃｍ程度、好ましくは２００〜４００ｃｍ程度、より好ましくは２５０〜３５０ｃｍ程度である。また外側の曲率半径は、例えば、１３０〜４５０ｃｍ程度、好ましくは１８０〜４００ｃｍ程度、より好ましくは２３０〜３２０ｃｍ程度である。
【００５６】
（２．４．２）平面基板によるプレス
図７は、プレス板としての平面基板で被処理膜を挟んでプレスする方法の一例を示す概略断面図である。図７の例では、単純に２枚の平行な平面基板７ｂの間に挟んで被処理膜７ａをプレスしている。このような方法であっても、スペーサーの選択やプレス条件を適切に選択することで、適切なシワを形成できる。
【００５７】
図８は、平面基板（平面プレス板）で被処理膜を挟んでプレスする方法の他の例を示す概略断面図である。この図示例では、２枚の平面基板を用いる場合に、被処理膜の一部分のみが最初にプレスされ、そこから領域を広げるように徐々にプレスされる面積が増えるようにしている。この様なプレス方式にした場合も、シワの凹凸の程度を制御することが可能である。より具体的には、図８に示す例では、被処理膜８ａを高温（炭化温度、黒鉛化温度、又は再黒鉛化温度）に加熱する際に、一部８ｄのみを接触させた２枚の平行でない平面基板８ｂ同士の隙間に前記被処理膜８ａを挟み、プレス開始後に徐々に２枚の平面基板８ｂを平行にしつつ２枚の平面基板同士の隙間８ｅを無くすようにプレスする事により、被処理膜８ａを端から順に押し伸ばすようにして、一定の範囲内の適度なシワを形成している。
【００５８】
被処理膜のプレスに用いる前記プレス板（曲面基板、平面基板）の材質は、高温の処理温度に対する耐久性を有する限り特に限定されないが、一般的にはカーボン材料や黒鉛系材料が好ましい。例えば、等方性黒鉛であるＣＩＰ（Ｃｏｌｄ  Ｉｓｏｔｒｏｐｉｃ  Ｐｒｅｓｓ：冷間静水圧プレス）材製や、グラッシーカーボン製の基板を用いることができる。炭素化の場合にはサファイア基板等を用いることもできる。
【００５９】
プレス板はスペーサーで凹凸を制御可能な程度の平坦性を有しているのが好ましい。プレス板の表面粗さ（算術平均粗さＲａ）は、例えば、５μｍ以下、好ましくは３μｍ以下、より好ましくは１μｍ以下、０．１μｍ以下であり、例えば、０．０１μｍ以上である。このような表面粗さであれば、黒鉛膜の表面粗さ（算術平均粗さＲａ）を０．１μｍ単位、１μｍ単位、１０μｍ単位、５０μｍ単位、あるいは１００μｍ単位の精度で制御することが可能である。
【００６０】
（２．４．３）プレス条件
シワの制御は、前記プレス板の形状（曲面基板、平面基板）、プレスの方向性、被処理物の種類（高分子膜、炭化膜、黒鉛膜）、スペーサーの種類、粒径などの様々な要因が複雑にからみあうため、プレス条件を一義的に決定することは困難であるが、実施例における具体的な組み合わせを参考にしつつ、下記条件の範囲内で設定すればよい。
すなわちプレスの圧力は、例えば、０．３ｇｆ／ｃｍ2以上、３０００ｇｆ／ｃｍ2以下の範囲から適宜設定できる。プレス圧力は、０．４ｇｆ／ｃｍ2以上、０．６ｇｆ／ｃｍ2以上、０．８ｇｆ／ｃｍ2以上、１．０ｇｆ／ｃｍ2以上、又は１．５ｇｆ／ｃｍ2以上とすることが好ましい。また２５００ｇｆ／ｃｍ2以下、２０００ｇｆ／ｃｍ2以下、１５００ｇｆ／ｃｍ2以下、１０００ｇｆ／ｃｍ2以下又は５００ｇｆ／ｃｍ2以下とすることが好ましい。プレス圧力が弱すぎると意図に反して大きすぎる高さのシワが発生しやすく、プレス圧力が強すぎると膜の破れや、穴、ひび割れの原因となる。また、プレスに使用したプレス板に膜が密着して剥がれなくなる等の問題が生じる可能性が高くなる。さらには、強力なプレス機構が必要になると炉のプレス装置自体も大掛かりになる。
【００６１】
プレスの圧力は一定でも良いし、変化させても良い。ただし、上記のように、徐々に膜が全体にわたって膜面方向に押し広げられるようにすることは好ましい形態の一例である。押し広げつつプレスするために曲面基板を用いる場合には、曲面基板の反りが徐々に平らになるようにするのがよい。従って、この際は、プレスの圧力を変化させるのであれば、徐々に強くすることが基本である。
【００６２】
プレス時間も諸条件に応じて短時間から長時間の範囲で適宜設定され、複数回のプレスを行ってもよい。ただし、黒鉛化時のプレスでは、早い段階でプレスを終了するのでなく、最高温度に到達するまでプレスを継続することが望ましい。黒鉛化処理時には、最高温度になるまで黒鉛膜の膜面方向の寸法が伸びるので、早い段階でプレスを終えると、その後の伸びによって不均一なシワが形成されてしまう恐れが高くなる。また黒鉛化時のプレスでは、黒鉛膜の伸びが開始してからプレスを開始することが望ましい。黒鉛膜の伸び開始前などの早すぎる段階からプレスを開始すると、黒鉛膜の伸びを大きく抑制してしまい、かえって不均一なシワを発生させる恐れが高くなる。黒鉛化時のプレスのタイミングは、例えば、２２００℃以上、好ましくは２４００℃以上、より好ましくは２６００℃以上になった段階でプレスを開始し、最高到達温度までプレスを継続することが望ましい。また炭素化膜は比較的脆く割れやすいので、黒鉛化プロセスにて１５００ｇｆ／ｃｍ2以上などの強めの圧力でプレスを行う場合には、プレスのタイミングは、黒鉛化がある程度始まる２２００℃以上の温度にて行うことが好ましい場合がある。特に高分子膜が芳香族ポリイミドの場合は、大きな圧力でのプレス（例えば、最高圧力でのプレス。好ましくは１０ｇｆ／ｃｍ2以上、より好ましくは１００ｇｆ／ｃｍ2以上、さらに好ましくは１０００ｇｆ／ｃｍ2以上でのプレス）は２６００℃以上の温度にて行うことが好ましいことがある。さらには本発明では、短時間のプレスを繰り返して最高温度付近でもプレスを行ってもよい。プレスの圧力、時間、タイミングなどの細部は、適宜、最適化すればよい。
【００６３】
プレス手段は、機械的圧力制御が可能なプレス手段（プレス機構）であってもよく、プレス板の自重を利用したもの、又はプレス板の上に黒鉛製やカーボン製の重石を置いたものなどのように非機械的手段であってもよい。このような非機械的手段であっても、炭素化中、黒鉛化中に、終始一定の加重を加えることが可能であり、黒鉛膜に適度な高さのシワを形成する事ができる場合がある。またこの非機械的手段は、プレス機構による正確な加重制御が難しい、軽い加重でのプレス（例えば、１０ｇｆ／ｃｍ2未満、好ましくは８ｇｆ／ｃｍ2以下、より好ましくは５ｇｆ／ｃｍ2以下でのプレス）をしたい場合に有効である。またプレス機構を有しない単純な電気炉を使用できる事も利点である。
【００６４】
（２．４．４）スペーサー
スペーサーとしては、被処理膜の処理温度に対する耐久性と、プレス圧に対する耐久性とを兼ね備えたものが望ましく、例えば、粒子状物や繊維状物が含まれる。このような特性を有するスペーサーとしては、例えば、グラッシーカーボン粒子、黒鉛粒子、黒鉛鱗片、フラーレン、炭素繊維、カーボンナノチューブのような炭素系・黒鉛系の粒子、繊維又は鱗片；シリカ、アルミナ、球状アルミナ、鱗片状窒化ホウ素のような無機粒子又は無機鱗片；ポリイミド粒子、ポリパラフェニレンビニレン粒子、ポリオキサジアゾール粒子のような加熱により炭素化又は黒鉛化する粒子等を適宜用いることができる。前記スペーサーには、シリカのように黒鉛化の最終段階である２８００℃等の高温にまで耐えられない物質も含まれる。このような物質であっても、ある程度の高温までスペーサーとして働くことができれば、あとは形成された炭素化膜、あるいは黒鉛膜のシワ自体が、ある程度はスペーサーとしての機能も果たす。そのためプレス加重が８００ｇｆ／ｃｍ2以下などのように比較的小さい場合には、問題なく使用可能である。
【００６５】
前記スペーサーは、潤滑効果も持つ粒子がより好ましい。また潤滑性能を付与するために、スペーサーと、潤滑剤としてのオイルやポリテトラフルオロエチレン粒子、窒化ホウ素粒子等を併用しても構わない。炭素系・黒鉛系のスペーサーは、入手しやすく、黒鉛膜や電気炉内に付着しても、同じカーボン系の物質であるために問題になりにくく、一定の潤滑性もあるという利点がある。また窒化ホウ素はポリイミドや炭素化膜、黒鉛膜と色が異なるので、被処理膜や黒鉛製プレス板への配置（特に分散又は付着）状態が見た目で判断しやすく、また電気炉内の汚染も見た目で判断しやすいという利点がある。さらに潤滑性にも優れている。
【００６６】
スペーサーが粒子状物である場合の平均粒径（ｄ５０）、スペーサーが繊維状物である場合の繊維径、及びスペーサーが鱗片状物である場合のその厚み（以下、粒子の平均粒径（ｄ５０）、繊維の直径及び鱗片の厚みを総称して、スペーサーの厚みという場合がある）は、例えば、０．１μｍ以上、好ましくは１μｍ以上、より好ましくは５μｍ以上であり、例えば、３００μｍ以下、好ましくは２００μｍ以下、より好ましくは１５０μｍ以下である。
【００６７】
またスペーサーの厚みは、それを配置させる膜（高分子膜、炭素化膜、黒鉛化膜など）の厚みに対して、適切な範囲に制御されている必要がある。このスペーサーの厚みと膜厚の比によって、黒鉛膜の厚みに対する表面の算術平均粗さＲａの比を調整できる。膜厚を１としたときのスペーサーの厚みは、適度な凹凸を形成する場合は、例えば、０．７５以上、３５０以下である。さらに１以上であることは好ましく、１．５以上であることはさらに好ましく、２以上であることはなお好ましく、２．５以上であることは一層好ましく、３．０以上であることはより好ましく、さらに４．０以上、５．０以上、６．０以上又は７．５以上であることが特に望ましい。また、２５０以下であることは好ましく、２００以下であることはより好ましく、１５０以下であることはさらに好ましく、１００以下、７５以下、５０以下、２５以下、２０以下又は１０以下であることはなお一層好ましい。
【００６８】
また凹凸が著しく小さい黒鉛膜を製造する場合には、膜厚を１としたときのスペーサーの厚みは、０．４以下である。０．３以下であることはより好ましく、０．２５以下であることはなお好ましく、０．１５以下であることはさらに好ましい。また、０．１０以下であることは好ましく、０．０５以下であることはさらに好ましい。また、０．００１以上であっても良い。
【００６９】
スペーサーの量は、適切なシワを形成可能な範囲で、スペーサーの大きさ（粒径、繊維径など）に応じて適宜設定される。例えば粒子状のスペーサーの場合、被処理膜の表面の被覆率（粒子１粒１粒が、表面に隙間無く１層分だけ存在する場合を、被覆率１００％とする）が、例えば、０．１〜５００％程度となる範囲で使用可能である。被覆率が大きすぎると、スペーサーの大きさではなく、主にスペーサーの堆積厚さによってプレス板の間隔が規制されるようになり、その制御が難しくなって適切なシワを形成し難くなる。一方、被覆率が小さすぎると、スペースの確保が難しくなって、適切なシワを形成し難くなる。精密にスペース（プレス板と被処理膜の間隔）を制御して凹凸をより高度に制御する場合には、被覆率は、０．５〜１００％、特に１〜５０％の範囲が好ましい。
【００７０】
粒子状又は繊維状のスペーサーを被処理膜の表面に配置（特に分散又は付着）させる為には、例えば、手でスペーサーを被処理膜やプレス板にまぶす方法、刷毛でスペーサーを被処理膜やプレス板に塗布する方法、スペーサーを分散させた分散液を被処理膜やプレス板に塗布後、乾燥させる方法、ふるいを用いてスペーサーを被処理膜やプレス板に撒く方法など、既知の方法を適宜用いれば良い。スペーサーとして、粒子状又は繊維状の乾燥物を用いる場合、スペーサーを一度、被処理膜やプレス板の表面に一度厚め（被覆率１００％以上）に塗布しておき、その後、被処理膜やプレス板等の表面を上下逆にしたり、揺らしたり、刷毛で擦るなどして、余分なスペーサー粒子を落とす様にすれば、被覆率の制御が容易になる。
【００７１】
スペーサーとしては、必ずしも単独の粒子や繊維等の形態である必要は無く、粒子や繊維が凝集して出来た２次粒子であっても良く、均一に分布する粒子状突起を有するシート（例えば、サンドペーパーのような形態のもの）でも良く、また繊維状のものが集合して作られた不織布のようなものであっても良い。また複数種類の物質のスペーサーを混合して用いることや、粒子状、繊維状、または鱗片状のスペーサーとペースト、オイル、ワックス等とを複合化して用いることも、潤滑性の調節や、形成する黒鉛膜のシワの凹凸の程度をさらに細かく制御するという観点から好ましく用いられる。またペースト、オイル、ワックスなどに使用する物質は適宜選択すればよく、例えばオイルであれば鉱油、合成炭化水素油、エステル油、ポリグリコール油、シリコーン油、フッ素油、キャノーラ油やこれらの混合物を好適に用いることができる。あるいは変性オイルであってもよく、例えばシリコーンオイルであれば、エポキシ変性シリコーンオイル、ポリエーテル変性シリコーンオイル、アミノ変性シリコーンオイル、エポキシ変性シリコーンオイルを用いることができる。具体的には、黒鉛粒子を含有するキャノーラ油を被処理膜やプレス板に塗布することや、黒鉛粒子を含むポリイミド膜を炭素化、黒鉛化して得た、表面に黒鉛粒子が露出した黒鉛シートをスペーサーとして用いることや、黒鉛シート上に黒鉛を蒸着して、黒鉛粒子を表面に形成した黒鉛シートをスペーサーとして用いることや、ポリアクリロニトリル製の繊維で作った薄い布や不織布をスペーサーとして用いることや、球状アルミナ粒子と窒化ホウ素鱗片を混合してスペーサーとして用いることは、いずれも本発明の手法として好ましく用いられる。以下、不織布や黒鉛粒子を表面に形成した黒鉛シートなどの、シート状スペーサーの表面凹凸の大きさのことをスペーサーの厚みという場合がある。
【００７２】
またプレス板の表面に凹凸を設け、この凹凸をスペーサーとして利用してもよい。サンドペーパーによる研磨や、サンドブラスト、研磨材による研磨、型押しなどにより、プレス板表面に一定の形状や表面粗さを持たせることは、粒子状のスペーサーを用いる事と同じ効果を発揮する場合がある。例えば表面を一定の程度に均一に粗化したＣＩＰ材製やグラッシーカーボン製のプレス板を用いることは好ましい。またカーボン蒸着、黒鉛蒸着、フラーレン蒸着等により表面にカーボン粒子、黒鉛粒子、フラーレン粒子等を形成したＣＩＰ材製やグラッシーカーボン製のプレス板を用いることもまた好ましい一態様である。さらに炭素繊維を高温でプレスして、炭素繊維を表面に固着させたＣＩＰ材製やグラッシーカーボン製のプレス板を用いることも好ましい。このようにプレス板の表面を粗面化してスペーサーとしての機能を持たせる場合には、粒子状又は繊維状のスペーサー、あるいは上述のスペーサーとしての機能を有するシートや不織布を別途用いる必要はない。無論、スペーサーとしての機能を持つプレス板と、粒子状又は繊維状のスペーサー、又はスペーサーとしての機能を持つシートや不織布を併用してもよい。以下、プレス板の表面凹凸の大きさのことをスペーサーの厚みという場合がある。
【００７３】
スペーサーの種類は、所望の黒鉛膜のシワの高さの程度や、ハンドリング性、製造プロセスに応じて適宜選択すればよく、下記に示す実施例の内容に制限されるものではない。炭素化、黒鉛化の際のプレス処理として、例えば、１）中心から放射状に伸びる筋状の凹凸を表面に形成したドーム形グラッシーカーボン板をプレス板とし、鱗片状窒化ホウ素を該プレス板に刷毛で塗布してスペーサー粒子とし、プレス機構付きプレス炉でプレスしてもよい。また２）鏡面研磨したＣＩＰ材平板をプレス板とし、黒鉛粉と球状アルミナの混合物を被処理膜（ポリイミド膜、炭素化膜等）の両面にふるいを用いてまぶしてスペーサーとしてプレス機構付きプレス炉でプレスしてもよい。或いは、３）被処理膜（ポリイミド膜、炭素化膜等）の両面にアミノ変性シリコーンオイルを塗布したものを、表面にカーボン蒸着した黒鉛シートで挟み込んで、さらにこれを上下からプレス板と重石を兼ねたＣＩＰ材平板で挟み込み、ＣＩＰ材平板の重さによってプレスしてもよい。さらには、４）鏡面研磨したドーム形グラッシーカーボン板をプレス板とし、ポリイミド膜の両面に、ポリイミド粒子を含む分散液を塗布して乾燥させたものをスペーサーとして、さらに該プレス板の上にＣＩＰ材平板の重石を乗せて重石によるプレスしてもよい。５）鏡面研磨したＣＩＰ材平板をプレス板とし、被処理膜（ポリイミド膜、炭素化膜等）の両面に膜鱗片状の窒化ホウ素を刷毛で塗布してスペーサーとし、プレス機構付きプレス炉でプレスしてもよい。６）中心から放射状に伸びる筋状の凹凸を表面に形成し、さらに表面に窒化ホウ素を分散させたエステルオイルを塗布したグラッシーカーボン製平板に被処理膜（ポリイミド膜、炭素化膜等）を挟み込んで、これをプレス機構付きプレス炉でプレスしてもよい。以上のいずれの方法であっても、一定レベルの平坦性を持つプレス板と被処理膜の間にスペーサーを存在させる（プレス板表面に形成した凹凸をスペーサーとする場合も含む）ことによってプレス板と被処理膜との間に一定間隔の均一なスペースを確保しつつ、一定の潤滑性も持たせ、これを適切な加重にてプレスしている。このようにすることで、適切なシワを形成できる。このような機能を維持できる範囲で、適宜、プレス板、スペーサー、潤滑剤、被処理膜膜（ポリイミド膜、炭素化膜等）、加重の状態等を最適化すればよい。
【００７４】
前記黒鉛膜の製造方法は、多数枚の被処理膜を重ねて一度に焼成できるため、生産性に優れる。また、被処理膜の厚さが２００ｎｍ以下などの様に極めて薄く、物理的に破れやすい場合でも適用可能である。なおプレスに使用した基板と黒鉛膜が貼りつき、剥がす際に黒鉛膜が破損してしまう場合もあるので、慎重に剥離を行う必要がある場合もある。
【００７５】
前記黒鉛膜の製造方法によれば、適切なシワを形成でき、算術平均表面粗さ（Ｒａ）と厚さの比を適切な範囲に制御できるだけでなく、各種特性の黒鉛膜間のばらつきをも小さくでき、不良品率を下げることが可能である。例えば前記黒鉛膜の製造方法によれば、一つの黒鉛膜においてＲａの平均値と厚さの平均値の比（Ｒａ平均値／厚さ平均値）を求め、これを複数の黒鉛膜間で平均したとき、各黒鉛膜のＲａ平均値／厚さ平均値は、この膜間平均値に対して、例えば、±５０％以内、好ましくは±４０％以内に入っている。
また一つの黒鉛膜においてＲａの平均値を求め、これを複数の黒鉛膜間で平均したとき、各黒鉛膜のＲａ平均値を、この膜間平均値に対して、例えば、±４０％以内、好ましくは±３０％以内にすることが可能である。
一つの黒鉛膜において電気伝導度の平均値を求め、これを複数の黒鉛膜間で平均したとき、各黒鉛膜の電気伝導度の平均値もまた、膜間平均値に対して、例えば、±３５％以内、好ましくは±２５％以内にすることが可能である。
一つの黒鉛膜において厚さの平均値を求め、これを複数の黒鉛膜間で平均したとき、各黒鉛膜の厚さの平均値を、膜間平均値に対して、例えば、±２５％以内、好ましくは±１５％以内にすることもまた可能である。
一つの黒鉛膜において密度の平均値を求め、これを複数の黒鉛膜間で平均したとき、各黒鉛膜の密度の平均値を、膜間平均値に対して、例えば、±１０％以内、好ましくは±５％以内にすることもまた可能である。
【００７６】
（３）黒鉛膜形態と加工
黒鉛膜を使用する際の形状としては特に制限は無く、正方形、長方形（テープ状）、円形、扇形、ドーナツ型、Ｌ字形、Ｕ字形、パンチングメタルのように多数の穴を開けた形状等を好ましく用いることができる。ただ本発明の特徴である耐久性の高さの効果が顕著に現れやすいのは、高い耐久性が求められる形態、例えば、薄く細長い形状であり、例えば、黒鉛テープが挙げられる。この黒鉛テープは、例えば、幅が４０ｍｍ以下、好ましくは２０ｍｍ以下、１０ｍｍ以下、８ｍｍ以下、５ｍｍ以下、３ｍｍ以下、２ｍｍ以下又は１ｍｍ以下であり、通常、０．２ｍｍ以上である。幅が狭いほど、本発明の黒鉛膜を利用するメリットが生じる。また黒鉛テープの長さは、前記幅の５倍以上、好ましくは８倍以上、１０倍以上、１５倍以上、２０倍以上、５０倍以上又は１００倍以上であり、通常、１０００倍以下である。黒鉛テープは、前記幅と長さの平行部を有する限り、他の部分（例えば平行部の両端部）の形状は特に限定されない。例えば、枠体に黒鉛膜を張り、宙に浮いた部分を切断加工して前記平行部を残し、その両端は未加工のまま枠体に接着された状態のものもまた本発明の黒鉛テープに含まれる。
【００７７】
前記黒鉛膜は、シワが厚みに対して適切に制御されているため、一部のみが高温に加熱される方法で加工したときでも、破断等に至ることなく適切に加工できる。例えば、電子線、レーザー光線等（好ましくはレーザー光線）を用いた微細な穴開けや切断加工も可能であり、こうした加工によって、黒鉛膜を前記形状に加工してもよい。特にこの加工耐久性が向上したことによる優位性（特に、一部のみに熱をかけるような加工方法を適用する際の、穴あき、ひび割れ、破断などの破壊の起こりにくさ）が顕著に現れるのは、細長い形状に切断する等の微細な加工を行う場合であり、例えば、黒鉛テープに加工する場合である。また特に薄い黒鉛膜の場合には、この優位性が特に顕著に現れる。このような加工の際に黒鉛膜は、基板等に固定して面で支持した状態でもよく、宙に浮かせた状態でもよく、張力をかけた状態でもよく、適度にたるませた状態でもよい。
【００７８】
（４）黒鉛膜（黒鉛テープなどの加工体を含む。以下、本欄において同様）の使用
（４．１）温度、雰囲気
本発明の黒鉛膜は、シワが厚みに対して適切に制御されているため、黒鉛膜を宙に浮かせた状態で使用したときの耐熱性、特に熱サイクル時の耐久性、部分加熱時の耐熱性、部分熱サイクルに対する耐久性に優れており、またこの黒鉛膜から得られるテープも同様の耐久性に優れる。こうした耐熱性、耐久性に優れているため、黒鉛膜（黒鉛テープを含む）は、例えば、最高温度となる部分の温度が９００℃以上となる使い方をしたときに、その優れた性能が発揮される。最高温度が１１００℃以上、又は１３００℃以上の場合はさらに顕著に優れた効果が示され、１４００℃以上、１５００℃以上、１７００℃以上、１９００℃以上、２１００℃以上、２３００℃以上、２５００℃、２７００℃、２９００℃以上、３１００℃以上である場合には、より顕著である。最高温度の上限は、黒鉛膜自体の耐熱温度であればよく、例えば、３４００℃以下である。
【００７９】
真空中で黒鉛膜を使用する場合、アルゴンガス雰囲気中などの不活性ガス雰囲気中での場合に比べて黒鉛が昇華しやすく、一般的に黒鉛膜の穴あき、ひび割れ、破断等が比較的起きやすい。このため真空中で使用する場合には、不活性ガス雰囲気中で使用する場合に比べて、本発明の黒鉛膜の優位性（耐熱性、耐久性）が、より低温（例えば９００℃以上、好ましくは１１００℃以上、１３００℃以上、１４００℃以上、１５００℃以上、１７００℃以上、１９００℃以上、又は２１００℃以上）でも顕著に現れやすい。
【００８０】
また黒鉛膜の最高温度となる部分と、最低温度を示す部分との温度の差が、例えば、３００℃以上、好ましくは４００℃以上、５００℃以上、７００℃以上、９００℃以上、１１００℃以上、又は１３００℃以上のように大きな場合には、本発明の黒鉛膜の優位性（耐熱性、耐久性の良さ）が顕著に現れやすい。なお黒鉛テープを複数用いる場合には、全黒鉛テープ中での最高温度部と、全黒鉛テープ中での最低温度部の差が前記数値範囲になることが好ましい。
【００８１】
黒鉛膜の使用雰囲気は、真空であってもよく、不活性ガス雰囲気でもよい。不活性ガス雰囲気にすることで黒鉛膜の昇華を抑制できる。不活性ガスとしては、窒素、アルゴンまたはヘリウムを用いるのがよく、特にアルゴン、ヘリウムが好ましい。黒鉛の昇華を防止するには不活性ガスの圧力を上げてもよく、例えば、０．１ＭＰａ以上、好ましくは０．１５ＭＰａ以上、０．２０ＭＰａ以上、０．３０ＭＰａ以上、０．４０ＭＰａ以上、０．５０ＭＰａ以上、０．６ＭＰａ以上又は０．８ＭＰａ以上である。圧力の上限は特に限定されず、１ＭＰａ以下であってもよい。
【００８２】
なお黒鉛膜の使用雰囲気は、非酸化性雰囲気であることが好ましく、特に酸素が存在しないことが好ましい。酸化性雰囲気になると、高温環境下で黒鉛膜が酸化して、急速に消耗するためである。このためには雰囲気ガスとして使用する不活性ガスは純度が高いものが望ましい。また真空中で使用するのであれば、真空度が高いほうが好ましい。本発明の黒鉛膜を真空中で使用する際の真空度は１０００Ｐａ以下であることが好ましく、１００Ｐａ以下であることはさらに好ましく、１０Ｐａ以下、１Ｐａ以下、１×１０−１Ｐａ以下、１×１０−２Ｐａ以下、１×１０−３Ｐａ以下、１×１０−４Ｐａ以下、１×１０−５Ｐａ以下、１×１０−６Ｐａ以下、１×１０−８Ｐａ以下、１×１０−１０Ｐａ以下であることはより好ましい。なお１×１０−１2Ｐａ以上でもよい。
【００８３】
（４．２）固定状態
本発明の黒鉛膜は、基板と積層して使用してもよいが、宙に浮いた部分を有する状態で（例えば、一部を支持部材に固定し残部を宙に浮かせた状態で）使用するのが好ましい。本発明の黒鉛膜は、このような支持体のサポートを受けない部分での耐久性に優れており、宙に浮いた状態でも安定して使用できる。単独の高電気伝導度かつ薄く大面積の黒鉛膜でこのような耐久性を備えることは、従来、不可能であった。
【００８４】
本発明の黒鉛膜を単独で宙に浮いた状態にするには、例えば上部だけを固定して上から吊るす方法、紐状や棒状の部材を用いて上から吊るす方法、４隅に紐状の部材を取り付け、４方向に引張る方法、両端を枠などに固定して張る方法、外周部を枠などに固定して張る方法、複数の糸状の部材を張って網のようにした間に挿入する方法、磁力や空気の力で浮かせる方法、中心部分のみを挟み込んで固定する方法等、既知の方法を適宜用いれば良い。また黒鉛テープを宙に浮かせて使用する場合には、複数の黒鉛テープを平行に並べることが好ましく、各テープの両端が共通の支持部材に固定されていることが好ましい。黒鉛膜（黒鉛テープを含む）は用途に応じて強く張っても良いし、適度にたるませた状態にしても良い。黒鉛膜を支持する部材には、ヒートシンク、冷却ファン、冷却水、ペルチェ素子等による冷却機構を持たせれば好ましい場合がある。
【００８５】
黒鉛膜の一部を宙に浮いた状態で使用する場合、黒鉛膜の全面積のうち、宙に浮いた部分の面積の割合は、１０％以上であることが好ましい。より好ましくは２０％以上であり、３０％以上、４０％以上、５０％以上、６０％以上、７０％以上、８０％以上又は９０％以上であることはさらに好ましく、９５％以下でもよい。黒鉛膜はその一部が高温になることが多く、宙に浮いた部分の面積が大きくなるほど、支持部材が黒鉛膜ごと高温になることが防止され、使用時に支持部材の耐熱性を超える恐れが低下する。黒鉛膜のうち他の部材に固定される部分は、不必要に大きくしても無駄であり、宙に浮いた部分の面積を大きくすることで無駄な部分を小さくできる。
【００８６】
（４．３）用途
前記黒鉛膜の具体的な用途としては、発光デバイスの発光体；フィラメント；高電流容量の高耐熱導線；電気抵抗式の発熱体；強い赤外線や紫外線、Ｘ線、レーザー光線、イオンビーム、陽子ビーム、負極性水素イオンビーム、中性子ビーム、電子線ビームなどが照射される装置や分析方法、加工方法における防護膜や反射部材、支持基板、吸収部材、透過部材、回折部材、センサ、熱拡散部材、被検体、被加工物などが挙げられる。これらの用途では、黒鉛膜の少なくとも一部が９００℃以上などの非常に高温になる。また多くの用途では１枚の黒鉛膜内で非常に高温の部分と、そうでない部分が同時に存在することになる。さらに多くの用途では加熱・冷却が繰り返される。このような用途に使用される場合でも、本発明の黒鉛膜であれば、耐熱性、耐久性に優れ、使用寿命を延ばすことができる。
【００８７】
特に好ましい用途は、黒鉛膜の一部を支持部材に固定して残部を宙に浮かせ、この宙に浮いた部分が最高温度になる用途であり、より好ましくは通電、赤外線照射、レーザー光線照射、イオンビーム照射のいずれかによって加熱されて黒鉛膜が最高温度になる用途である。こうした用途としては、例えば、強い赤外線や紫外線、Ｘ線、レーザー光線、イオンビーム、陽子ビーム、負極性水素イオンビーム、中性子ビーム、電子線ビームなどが照射される装置や分析方法での吸収部材、透過部材、回折部材、センサ、荷電変換膜部材、ターゲット支持膜部材、ラジオアイソトープ製造用支持膜部材、イオンビームの減衰器（イオンビームの個々の粒子のエネルギーや、粒子数を低減させるものであり、例えば（アッテネータ、エネルギーデグレーダ、アブソーバ））用膜部材が挙げられる。
本願は、平成２８年１月２９日に出願された日本国特許出願第２０１６−０１５０８２号に基づく優先権の利益を主張するものである。平成２８年１月２９日に出願された日本国特許出願第２０１６−０１５０８２号の明細書の全内容が、本願に参考のため援用される。
【実施例】
【００８８】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
なお下記例における物性の測定法について、まとめて以下に示す。
（１）ポリイミド膜の厚さとその膜間ばらつき
図９はポリイミド膜の厚さ測定箇所を示す概略平面図である。正方形状のポリイミド膜９ａの４隅において各辺から２０ｍｍずつになる箇所９ｂを厚さ測定箇所（合計４箇所）とし、これと中央（重心）９ｃとを合わせた５箇所を厚さ測定箇所とした。各箇所に対して接触式厚み計により厚み測定し、平均値をポリイミド膜の厚さとした。【００８９】
下記例では、製造された１０枚のポリイミド膜の厚みを測定し、その平均値に近いものから７枚を選び、この７枚での厚みの平均値を下記例でのポリイミド膜の厚みとした。また選ばれた７枚のポリイミド膜それぞれの厚みの、７枚での平均値に対する割合（ばらつき。％）を膜間ばらつきとした。【００９０】
（２）黒鉛膜の厚み測定
図１０に示す膜の４隅の４箇所１０ｂ（図中、□で示す）から５ｍｍ×５ｍｍの大きさの４つのサンプルを切り出し、それぞれの厚みを接触式厚み計にて測定し、４箇所での平均値を黒鉛膜の厚さとした。【００９１】
下記例では、製造された７枚の黒鉛膜の厚みを測定し、その平均値を各例での黒鉛膜の厚みとした。またその平均値に近いものから５枚を選び、選ばれた５枚の黒鉛膜それぞれの厚みの、この５枚での平均値に対する割合（ばらつき。％）を膜間ばらつきとした。【００９２】
（３）黒鉛膜の電気伝導度
黒鉛膜の電気伝導度（シート抵抗）の測定はｖａｎ  ｄｅｒ  Ｐａｕｗ法によって行った。この方法は薄膜状の試料のシート抵抗を測定するのに最も適した方法である。この測定法の詳細は（第四版）実験化学講座９  電気・磁気（社団法人日本化学会編、丸善株式会社発行（平成３年６月５日発行））（Ｐ１７０）に記載されている。この手法の特徴は、任意の形状の薄膜試料端部の任意の４点に電極を取り付け、測定を行うことが出来る事であり、試料の厚さが均一であれば正確なシート抵抗の測定が行える。これと黒鉛膜の厚みの測定値から、黒鉛膜の正確な電気伝導度を得ることができる。本発明においては図１０に示す膜の４隅の４箇所１０ｂ（図中、□で示す）から５ｍｍ×５ｍｍの大きさの４つのサンプルを切り出した。それぞれのサンプルで４つの角（稜）に銀ペースト電極を取り付け、（株）東洋テクニカ製、比抵抗／ＤＣ＆ＡＣホール測定システム、ＲｅｓｉＴｅｓｔ  ８３００を用いてシート抵抗を測定し、電気伝導度を求めた。４箇所の平均値を黒鉛膜の電気伝導度とした。【００９３】
下記例では、前記厚み測定で選ばれた５枚の黒鉛膜についての電気伝導度の平均値を算出し、この値を各例での黒鉛膜の電気伝導度とした。また選ばれた５枚の黒鉛膜それぞれの電気伝導度の、この５枚での平均値に対する割合（ばらつき。％）を膜間ばらつきとした。【００９４】
（４）黒鉛膜の算術平均粗さＲａとＲａ／厚み比
（４．１）算術平均粗さＲａ
黒鉛膜の表面粗さ（算術平均粗さ）Ｒａについては、ＪＩＳ  Ｂ  ０６０１に基づき、表面粗さ測定機Ｓｕｒｆｃｏｍ  ＤＸ（(株)東京精密製）を使用し、室温雰囲気下での値を測定した。図１０は約１８ｃｍ角の正方形の黒鉛膜の平面図であり、表面粗さＲａの測定箇所は、図１０の５本の線分１０ａの中央部分（β）である。図中、αは黒鉛膜の一つの辺の中点であり、βは線分１０ａの中点であり、γはの黒鉛膜の重心である。例えばＲａが８０μｍより大きい場合は、評価長さ１２５ｍｍ、基準長さＬ（カットオフ値）２５ｍｍとし、Ｒａが１０μｍより大きく８０μｍ以下の場合は、評価長さ４０ｍｍ、基準長さＬ（カットオフ値）８ｍｍとした（他のＲａの場合の基準長さの決定は、ＪＩＳ  Ｂ  ０６３３に従う）。送り速度０．０５ｍｍ／秒で描いたチャートから基準長さＬの部分を切り取り、その切り取り部分の中心線をＸ軸、縦方向をＹ軸として、粗さ曲線Ｙ＝ｆ（Ｘ）で表したとき、次の式（１）で得られる値をμｍで表したものが算術平均粗さＲａである。黒鉛膜の５箇所（５つの線分１０ａの中央部分β）にてそれぞれＲａの値を求め、さらに５箇所のＲａの平均値を求め、これを黒鉛膜の算術平均粗さＲａとした。【００９５】
【数１】
2017131205.tif 000003
【００９６】
下記例では、前記厚み測定で選ばれた５枚の黒鉛膜について、さらに厚みの平均値をもとめ、この平均値に近いものから３枚を選択した。この３枚の黒鉛膜について算術平均粗さＲａを求め、その平均値を下記例での算術平均粗さＲａとした。またこの３枚それぞれのＲａの、該３枚の平均値に対する割合（ばらつき。％）を膜間ばらつきとした。【００９７】
（４．２）Ｒａ／厚み比
算術平均粗さＲａ（黒鉛膜１枚につき５箇所測定）決定時に選択された３枚の黒鉛膜に対して、それぞれ上述の様にして厚み（黒鉛膜１枚につき４箇所測定）を求めた。該黒鉛膜ごとに、算術平均粗さＲａ（μｍ）／厚み（μｍ）の比を求め、その平均値を下記例のＲａ（μｍ）／厚み（μｍ）比とした。また各黒鉛膜でのＲａ（μｍ）／厚み（μｍ）の比の、３枚の平均値に対する割合（ばらつき。％）を膜間ばらつきとした。【００９８】
（４．３）Ｒａ膜内ばらつき
前記厚み測定で選ばれた５枚の黒鉛膜について厚みの平均値をもとめ、この平均値に最も近いもの１枚を選択した。この１枚の黒鉛膜について、各測定箇所（５箇所）の算術平均粗さＲａを求め、各箇所の測定結果の、５箇所平均に対する割合（ばらつき。％）を膜内ばらつきとした。【００９９】
（４．４）黒鉛膜の密度測定
黒鉛膜の密度は乾式自動密度計アキュピックＩＩ  １３４０（株式会社 島津製作所製）を用いて測定した。前記厚み測定で選ばれた５枚の黒鉛膜について、１枚ずつ密度を測定した。５枚の黒鉛膜それぞれの密度の、この５枚での平均値に対する割合（ばらつき。％）を膜間ばらつきとした。【０１００】
（５）熱サイクル耐久性試験
（５．１）概要
黒鉛膜の熱サイクル耐久性については、黒鉛膜に電流を流して黒鉛膜自体を発熱させる通電加熱方式と、黒鉛膜に赤外線を照射して加熱する赤外線加熱方式の２通りの加熱方式で評価した。通電加熱方式の試験は、アルゴンガス雰囲気中（０．１０５ＭＰａ〜０．１１ＭＰａ）、および真空中（１０Ｐａ以下）の両方で行った。また赤外線加熱方式の試験は、真空中で行った。【０１０１】
図１１は下記の例で得られた約１８ｃｍ角の黒鉛膜１１ａから熱サイクル耐久性試験用の試験片を切り出す方法を示す為の概念図であり、黒鉛膜の縁１１ｂの部分を避けて１ｃｍ×６ｃｍの長方形の試験片１１ｃを２４枚切り出した。図１２は、熱サイクル耐久性試験で用いる試験片の固定方法を示す概念図である。黒鉛膜から切り出された１ｃｍ×６ｃｍの長方形の試験片１２ａ（１１ｃ）を切り出し、両端から１ｃｍまでをそれぞれ黒鉛製ホルダー１２ｂに固定し、中央の長さ４ｃｍの部分は宙に浮いた状態とした。なお黒鉛製ホルダー１２ｂには、それぞれに接続する銅製冷却水ジャケット１２ｃによって冷却可能になっている。また通電加熱方式では、前記黒鉛製ホルダー１２ｂ及び銅製冷却水ジャケット１２ｃは、いずれも通電用電極を兼ねる。【０１０２】
（５．２）通電加熱時の耐久性
図１２に示す様に固定された試験片の長辺方向に電流を流した。この通電により、黒鉛膜の宙に浮いた部分１３ａ（１ｃｍ×４ｃｍ）が加熱され、特に中央の短辺方向約１ｃｍ、長辺方向約３ｍｍの部分１３ｂが選択的に非常に高温になる（図１３参照。黒鉛膜の宙に浮いた部分１３ａの両端部分は、銅製冷却水ジャケット１２ｃによる冷却の影響で、あまり高温にはならない）。黒鉛製ホルダー１２ｂの温度は熱電対により測定され、その値は使用条件で異なるが、高くても５００℃以下であり、４００℃以下、３００℃以下、２００℃以下である場合が多い。このため最高温度まで通電加熱された際の黒鉛膜１３ａは、中央付近１３ｂと両端部分とで大きな温度差を生じることになる。【０１０３】
黒鉛膜の中央１３ｂの温度は２色温度計（（株）チノー製。型番ＩＲ−ＣＡＱ５３）および放射温度計（日置電機（株）製。型番ＦＴ３７０１）によって測定した。黒鉛膜の中央１３ｂの最高温度が、それぞれ２７００℃、２５００℃、２３００℃又は２１００℃（アルゴンガス雰囲気中、０．１０５ＭＰａ〜０．１１ＭＰａ）、および２１００℃、１９００℃、１７００℃、１５００℃、１３００℃、１１００℃又は９００℃（真空中、１０Ｐａ以下）となるようにして耐久性試験を行った。具体的には、黒鉛膜１３ａに徐々に電流を大きくしながら通電し、黒鉛膜の中央１３ｂが最高温度に到達後、最高温度で１０秒間キープした後、通電をやめて冷却し、黒鉛膜の中央１３ｂの温度が３００℃以下になった時点で黒鉛膜１３ａへの通電を再開することを繰り返した。これにより黒鉛膜１３ａが破断する（完全に切断された状態になる）までの各最高温度での繰り返し加熱回数を記録した。なお十分多い加熱回数（１００回、２００回又は３００回）でも黒鉛膜１３ａが破断しない場合には試験を終了し、それぞれの加熱回数を「＞１００」、「＞２００」又は「＞３００」とした。黒鉛膜１３ａが破断したか否かは、目視および、黒鉛膜１３ａの両端間の電気抵抗が１ＭΩ以上（破断）か否か（破断せず）により判定した。【０１０４】
（５．３）赤外線加熱時の耐久性
図１２に示す様に固定された試験片に赤外線を照射し、黒鉛膜の宙に浮いた部分１４ａ（１ｃｍ×４ｃｍ）の中央の短辺方向約１ｃｍ、長辺方向約１ｃｍの部分１４ｂを選択的に非常に高温に加熱した（図１４参照）。黒鉛製ホルダー１２ｂの温度は熱電対により測定され、その値は使用条件で異なるが、高くても５００℃以下であり、４００℃以下、３００℃以下、２００℃以下である場合が多い。このため最高温度まで赤外線加熱された黒鉛膜１４ａは、中央付近１４ｂと両端部分とで大きな温度差を生じることになる。【０１０５】
黒鉛膜の中央１４ｂの温度は２色温度計（（株）チノー製。型番ＩＲ−ＣＡＱ５３）および放射温度計（日置電機（株）製。型番ＦＴ３７０１）によって測定した。黒鉛膜の中央１４ｂの最高温度が、それぞれ１７００℃、１４００℃又は１１００℃（真空中、１０Ｐａ以下）となるようにして耐久性試験を行った。具体的には、黒鉛膜１４ａに赤外線を照射して、黒鉛膜の中央１４ｂが最高温度に到達後、最高温度で１０秒間キープした後、赤外線照射をやめて冷却し、黒鉛膜の中央１４ｂの温度が３００℃以下になった時点で黒鉛膜への赤外線照射を再開することを繰り返した。これにより黒鉛膜１４ａが破断する（完全に切断された状態になる）までの、最高温度までの加熱回数を記録した。なお通電加熱時と同様に、繰り返し数の上限を１００回又は２００回とし、上限回数で破断しなかった結果については、「＞１００」、「＞２００」と表記した。【０１０６】
（６）レーザーカット試験
図１５は、レーザーカット試験の概要を説明するための概念図である。図１５に示すように、約１８ｃｍ角の黒鉛膜１５ａの対向する２つの辺を銅製の枠１５ｃに接着剤で貼り付けて、黒鉛膜１５ａを宙に水平に張った。この張られた黒鉛膜の中央付近に、所定長さ（５ｃｍ又は１０ｃｍ）の切り込み１５ｂを所定間隔（長さ５ｃｍのときは、間隔１．２ｍｍ。長さ１０ｃｍのときは、間隔１．０ｍｍ）でレーザー照射によって形成した。切り込み１５ｂの本数は１０１本（図には本数を省略して示した）とし、間に挟まれた１００本のテープ状部分１５ｄのうち破断したものの本数を数えた。なお計数するのは、両端を含めて、完全に切断された状態になったテープ状部分１５ｄの本数であり、破断の有無は、目視およびテープを単独で取り出した上での２端子のテスターによる電気抵抗測定（１ＭΩ以上（破断）か否か（破断せず））にて決定した。【０１０７】
なお上記レーザーカットには株式会社キーエンス製ＭＤ−Ｔ１０１０を用い、レーザーパワー８０％、Ｑスイッチ周波数１００ｋＨｚとし、スキャンスピードは黒鉛膜の厚みに合わせて適宜調整した。例えば黒鉛膜の厚み０．９μｍの場合には、スキャンスピードは１２００ｍｍ／ｓとした。【０１０８】
（実施例１）
＜ポリイミドの製膜＞
ピロメリット酸二無水物（ＰＭＤＡ）及び４，４’−ジアミノジフェニルエーテル（ＯＤＡ）をモル比で１／１（すなわち４／４）の割合で合成したポリアミド酸の１８重量％のＤＭＦ溶液１００ｇに無水酢酸２０ｇとイソキノリン１０ｇからなるイミド化促進剤を混合、攪拌し、遠心分離による脱泡の後、アルミ箔上に流延塗布した。攪拌から脱泡までは０℃に冷却しながら行った。このアルミ箔とポリアミド酸溶液の積層体を１００℃、２５０℃、４５０℃で各６０秒間加熱した後、アルミ箔をエッチングにより除去し、２０ｃｍ×２０ｃｍの正方形のポリイミド膜を１０枚作製し、前記ポリイミド膜の厚さの測定に記載した基準に基づき、７枚を選択した。選ばれた７枚の平均厚みは２２．１μｍであり、膜間ばらつき±１５％以内である。【０１０９】
＜炭素化＞
選ばれた７枚のポリイミド膜をそれぞれ黒鉛製ガスケットに挟み込み、電気炉を用いて窒素ガス雰囲気中、２℃／分の速度で９５０℃まで昇温し、９５０℃で１０分間保ったのち自然冷却させることで炭素化膜を得た。【０１１０】
＜黒鉛化＞
得られた７枚の炭素化膜のそれぞれの両面に、スペーサーとしての平均粒径（ｄ５０）が７．４μｍの鱗片状の窒化ホウ素を、刷毛を用いて塗布し、次に炭素化膜の縁の１辺を持って炭素化膜を鉛直方向に垂らし、軽く揺らして余分な鱗片状窒化ホウ素を落とした。
表面が鏡面であって、向きをそろえたドーム型グラッシーカーボン（ＧＣ）板８枚の間に、鱗片状の窒化ホウ素を両面に付着させた前記炭素化膜７枚を、ＧＣと炭素化膜とが交互になる様に挟み込んだ（図６）。なお前記ドーム型ＧＣ板は、直径が３２ｃｍであり、片面（ドームの内面）の曲率半径が３００ｃｍで、もう片方の面（ドームの外面）の曲率半径が２８０ｃｍである。【０１１１】
８枚のＧＣと７枚の炭素化膜の積層体をグラッシーカーボン製の第２のプレス板６ｃの間に挟み、プレス機能付き電気炉で黒鉛化した。黒鉛化は、アルゴンガス雰囲気中で２℃／分の速度で２８００℃（最高温度）まで昇温し、２８００℃（最高温度）で２０分間保ったのち自然冷却することにより行った。この黒鉛化の間に、プレス板６ｃを通じて炭素化膜（黒鉛膜）を段階的にプレスした。すなわち、２２００℃到達後に８ｇｆ／ｃｍ２の圧力でプレスを開始し、その後２８００℃（最高温度）到達時に２５００ｇｆ／ｃｍ２（最高圧力）となるように直線的にプレス加重を増加させた。また２８００℃（最高温度）到達後から２０分間は、２５００ｇｆ／ｃｍ２（最高圧力）の加重でプレスを続け、その後プレスを終了した。プレス圧力は、直径３２ｃｍの円形を面積の基準とした。またプレスの方向は、炭素化膜（黒鉛膜）の膜面に対して垂直方向とした。その結果１辺がほぼ１８ｃｍの全面にわたって均一なシワがある正方形の黒鉛膜が７枚得られた。【０１１２】
（実施例２〜３１及び比較例１〜７）
各条件を下記表１〜２に示す様に変更した。表中、同じ内容が記載されている部分は、同じ作業を実施したことを示し、表に示されていない点については実施例１と同様に実施したことを示す。
なお実施例３の様に組成（ＰＭＤＡ／ＯＤＡ／ＰＤＡ）が４／３／１と記載されている例では、ピロメリット酸二無水物（ＰＭＤＡ）、４，４’−ジアミノジフェニルエーテル（ＯＤＡ）、ｐ−フェニレンジアミン（ＰＤＡ）をモル比で４／３／１の割合で合成したポリアミド酸の１８重量％のＤＭＦ溶液を用いる以外は実施例１と同様にして、ポリイミド膜を作製した。【０１１３】
実施例２６などの様に組成（ＰＭＤＡ／ＯＤＡ／ＰＤＡ）が４／２／２と記載されている例では、ピロメリット酸二無水物（ＰＭＤＡ）、４，４’−ジアミノジフェニルエーテル（ＯＤＡ）、ｐ−フェニレンジアミン（ＰＤＡ）をモル比で４／２／２の割合で合成したポリアミド酸の１８重量％のＤＭＦ溶液を用いる以外は実施例１と同様にして、ポリイミド膜を作製した。【０１１４】
実施例５などの様にプレス板に「ＣＩＰ材平面基板」と記載されている例では、表面を鏡面研磨したＣＩＰ材平面基板２枚をプレス板とし、この間にスペーサー粒子を付着させた炭素化膜を挿入した。このセットを７つ用意し、それぞれを同じプレス条件・黒鉛化条件で黒鉛化した。【０１１５】
実施例１０などの様にプレスタイミングに炭化時と黒鉛化時の両方が指定され、かつプレス板としてＣＩＰ材平面基板が指定されている例では、選ばれた７枚のポリイミド膜の両面にスペーサー粒子を、刷毛を用いて塗布し、次にポリイミド膜の縁の１辺を持ってポリイミド膜を鉛直方向に垂らし、軽く揺らして余分なスペーサー粒子を落とした。このようにして両面にスペーサー粒子を付着したポリイミド膜を上下から、表面を鏡面研磨した２４ｃｍ角のＣＩＰ材平面基板の間に挟みこんだものを７セット準備し、これらを平面状に並べた状態で炭素化用の電気炉内に入れた。それぞれの７セットの上側のＣＩＰ材平面基板の上にＣＩＰ材の重りを置いて、ＣＩＰ材の重さによるプレスを行いながら炭素化した。炭素化後は、得られた炭素化膜がＣＩＰ材平面基板に挟み込まれ、さらに上からＣＩＰ材の重りにより押さえつけられたままの状態で、黒鉛化用の電気炉内に平面状に並べて、炭素化時と同様にＣＩＰ材の重さによるプレスを行いながら黒鉛化した。プレスの圧力はポリイミド膜（炭素化膜）の上側のＣＩＰ材平面基板およびＣＩＰ材の重りにかかる重力の合計値を、ＣＩＰ材平面基板の２４ｃｍ角の正方形の面積で除した（割算した）値であり、実施例１０では１．０ｇｆ／ｃｍ２である。【０１１６】
実施例２７などの様にスペーサー粒子の欄の下段にオイル成分が記載されている例では、スペーサー粒子を当該オイル成分に分散させたものをポリイミド膜（プレスタイミングが炭化時と黒鉛化時の両方の場合）又は炭素化膜（プレスタイミングが黒鉛化時のみの場合）に塗布したことを意味する。【０１１７】
全実施例及び比較例の実施条件と実施結果を表１〜５に示す。【０１１８】
【表１】
2017131205.tif 000004
【０１１９】
【表２】
2017131205.tif 000005
【０１２０】
【表３】
2017131205.tif 000006
【０１２１】
【表４】
2017131205.tif 000007
【０１２２】
【表５】
2017131205.tif 000008
【０１２３】
実施例の黒鉛膜は、Ｒａ／厚み比が適切な範囲になっているため、熱サイクル耐久性に優れており、またレーザーカット試験での耐久性にも優れる。一方、比較例の黒鉛膜は、Ｒａ／厚み比が不適切な範囲になっているため、熱サイクル耐久性に劣り、またレーザーカット試験での耐久性にも劣る。なお比較例１では、プレスの圧力が強すぎて黒鉛膜に多くの破れが発生した為、各種測定は行わなかった。
【産業上の利用可能性】
【０１２４】
本発明の黒鉛膜や黒鉛テープは、発光デバイスの発光体；フィラメント；高電流容量の高耐熱導線；電気抵抗式の発熱体；強い赤外線や紫外線、Ｘ線、レーザー光線、イオンビーム、陽子ビーム、負極性水素イオンビーム、中性子ビーム、電子線ビームなどが照射される装置や分析方法、加工方法における防護膜や反射部材、支持基板、吸収部材、透過部材、回折部材、センサ、熱拡散部材、被検体、被加工物などとして極めて有用である。
【符号の説明】
【０１２５】
１ａ、１ｂ、１ｃ、１ｄ、４ａ、５ａ、１１ａ、１２ａ、１３ａ、１４ａ、１５ａ  黒鉛膜
６ａ、７ａ、８ａ  被処理膜（高分子膜、炭素化膜、黒鉛膜）
６ｂ、６ｃ、７ｂ、８ｂ  プレス板
【図１】
2017131205.tif 000009
【図２】
2017131205.tif 000010
【図３】
2017131205.tif 000011
【図４】
2017131205.tif 000012
【図５】
2017131205.tif 000013
【図６】
2017131205.tif 000014
【図７】
2017131205.tif 000015
【図８】
2017131205.tif 000016
【図９】
2017131205.tif 000017
【図１０】
2017131205.tif 000018
【図１１】
2017131205.tif 000019
【図１２】
2017131205.tif 000020
【図１３】
2017131205.tif 000021
【図１４】
2017131205.tif 000022
【図１５】
2017131205.tif 000023
【国際調査報告】
2017131205.tif 000024
2017131205.tif 000025
2017131205.tif 000026
2017131205.tif 000027